(57)【要約】【課題】パッチ機能を備えるとともに、用紙に対して正確かつ容易に貼着できる補強用テープ、該補強用テープを作成する印刷装置を提供する。【解決手段】パッチテープ４０２は、記録用紙Ｐ１の綴じ側端部に沿って貼られるものである。パッチテープ４０２の表面には、記録用紙Ｐ１の縦方向の中間位置を示す中間マーク４１が印刷されている。この中間マーク４１を基準にすることで穴開け機でパンチ穴を開けることができる。さらにパンチ穴の周囲はパッチテープ４０２で補強されているのでパッチとして利用できる。パッチテープ４０２は記録用紙Ｐ１の綴じ側端部に沿って貼るだけであるので、パンチ穴毎にパッチを貼る手間を省略できる。さらにパッチテープ４０２にはどの端部を記録用紙Ｐ１の綴じ側端部に合わせるかを示す合わせ端部指示マーク４３が印刷されているので、記録用紙Ｐ１への位置合わせが容易である。【選択図】図２
2008272994.tif 000002
【特許請求の範囲】
【請求項１】
用紙の片面の縦方向に沿った一端側に貼り合わされる補強用テープであって、
前記用紙の前記片面に貼り合わされた時の前記補強用テープの表面には、前記用紙の縦方向の中間位置を示す中間マークが設けられていることを特徴とする補強用テープ。
【請求項２】
前記用紙の縦方向の長さよりも短い前記補強用テープの前記表面には、前記補強用テープの先端部を前記用紙の上端部に合わせるか、又は前記補強用テープの後端部を前記用紙の下端部に合わせるかを指示する指示マークが設けられていることを特徴とする請求項１に記載の補強用テープ。
【請求項３】
前記指示マークは、前記用紙の前記一端側に合わされる前記補強用テープの幅方向の一端部に寄せて配置されていることを特徴とする請求項２に記載の補強用テープ。
【請求項４】
前記用紙の上端部に合わせられる前記補強用テープの先端部には、前記用紙の前記一端側に貼り合わされた場合に、前記用紙の前記上端部から上方に突出するとともに、裏面を内側に折り返して接着される折返しタブ片が付設されていることを特徴とする請求項１乃至３の何れかに記載の補強用テープ。
【請求項５】
前記表面には、前記折返しタブ片と前記補強用テープの前記上端部との境界を示すとともに、前記用紙の前記上端部に合わせられる基準となる基準線が印刷されていることを特徴とする請求項４に記載の補強用テープ。
【請求項６】
用紙の片面の縦方向に沿った一端側に貼り合わされ、前記用紙の前記片面に貼り合わされた時の前記補強用テープの表面に、前記用紙の縦方向の中間位置を示す中間マークが印刷された補強用テープを作成する印刷装置であって、
前記補強用テープの前記表面に、文字、図形又はマークを印字する印字手段と、
当該印字手段よりも前記補強用テープが搬送される下流側に設けられ、前記補強用テープを幅方向に切断する切断手段と、
前記用紙のサイズを入力するサイズ入力手段と、
当該サイズ入力手段によって入力された前記サイズの前記用紙の縦方向における長さの半分の長さである中間距離を決定する中間距離決定手段と、
前記補強用テープの前記表面であって、前記用紙の上端部又は下端部に合わせられる前記補強用テープの先端部又は後端部から、前記中間距離決定手段によって決定された前記中間距離に相当する位置に前記中間マークを印刷するように前記印字手段を制御する印字制御手段と
を備えていることを特徴とする印刷装置。
【請求項７】
前記補強用テープのテープ長を、前記サイズ入力手段によって入力された前記サイズの縦方向の長さと同じ全長タイプか、前記縦方向の長さよりも短い節約タイプかを選択するテープ長選択手段と、
当該テープ長選択手段によって選択されたタイプの前記テープ長となるように、前記補強用テープの切断位置と前記切断手段の位置とを合わせる切断位置制御手段と、
前記テープ長選択手段によって前記節約タイプが選択された場合に、前記補強用テープの先端部を前記用紙の上端部に合わせる上合わせタイプか、前記補強用テープの後端部を前記用紙の下端部に合わせる下合わせタイプかを選択する合わせ端部選択手段と
を備え、
前記印字制御手段は、前記合わせ端部選択手段によって選択されたタイプに従って、前記補強用テープの先端部を前記用紙の上端部に、又は前記補強用テープの後端部を前記用紙の後端部に合わせることを指示する指示マークを、前記補強用テープの前記表面に印字するように前記印字手段を制御することを特徴とする請求項６に記載の印刷装置。
【請求項８】
前記印字制御手段は、前記補強用テープの一枚分の印刷範囲の末尾に、次回の印刷範囲の先頭部分までを印刷するように前記印字手段を制御することを特徴とする請求項６又は７に記載の印刷装置。
【請求項９】
前記印刷範囲の前記先頭部分の長さは、前記印字手段と前記切断手段とが離間する距離に相当することを特徴とする請求項８に記載の印刷装置。
【請求項１０】
前記補強用テープの先端部に、裏面を内側に折り返して接着される折返しタブ片が付設されたタブ付きテープを作成することを指示するタブ付きテープ指示手段を備え、
当該タブ付きテープ指示手段によって前記タブ付きテープを作成することが指示された場合、
前記印字制御手段は、
前記補強用テープの前記表面に対して、前記折返しタブ片と前記補強用テープの前記先端部との境界を示し、前記用紙の前記上端部に合わせられる基準となる基準線を印刷するとともに、
当該基準線から、前記中間距離決定手段によって決定された前記中間距離に相当する位置に前記中間マークを印刷するように、前記印字手段を制御することを特徴とする請求項６乃至９の何れかに記載の印刷装置。
【請求項１１】
前記折返しタブ片は、前記裏面を内側にして折り返された時の外側となる第１面と第２面とを備え、
前記タブ付きテープ選択指示手段によって前記タブ付きテープを作成することが指示された場合、前記印字制御手段は、前記第１面及び前記第２面の少なくとも何れかに、文字、図形又はマークを印字するように、前記印字手段を制御することを特徴とする請求項１０に記載の印刷装置。
【請求項１２】
前記印字制御手段は、前記第１面に印字する文字、図形又はマークの位置と、前記第２面に印字する文字、図形又はマークの位置とを、折り返して接着された前記折返しタブ片の高さ方向にずらすように、前記印字手段を制御することを特徴とする請求項１１に記載の印刷装置。
【発明の詳細な説明】
【技術分野】
【０００１】
本発明は、補強用テープ及び印刷装置に関し、詳細には、用紙の紙端を補強する補強用テープ、該補強用テープに印刷する印刷装置に関する。
【背景技術】
【０００２】
従来より、記録用紙の紙端にパンチで穴を開け、その記録用紙をバインダーに綴じることはよく行われている。しかし、そのパンチ穴のままで記録用紙をファイルすると、パンチ穴から記録用紙の端までが破れてしまうことがある。そこで、パンチ穴の周囲に「パッチ」を貼付することによって、パンチ穴の補強又は補修が行われる。パッチは、ドーナツ状の粘着シール（例えば、特許文献１参照）であって、手で１枚ずつ貼付されるのが一般的であるが、最近では貼付し易いようにパッチ貼付器が使用されることもある。また、パッチの材質には、紙や樹脂フィルムが使用され、特に透明な樹脂フィルムを使用した場合、パンチ穴の周囲にかかる文字等を隠さずに済むので便利である。
【特許文献１】特開平１１−１３９０６３号公報
【発明の開示】
【発明が解決しようとする課題】
【０００３】
しかしながら、特許文献１に記載のようなパッチは、既に開いているパンチ穴を補強又は補修する為に使用されるものである。よって、各パンチ穴に小さなドーナツ型の粘着シートを合わせて正確に貼らなければならず、位置がずれてしまうとパンチ穴の一部を塞いでしまうという問題点があった。さらに、１枚の記録用紙には少なくとも２つのパンチ穴があるので、それらパンチ穴に対して、パッチをそれぞれに貼り付けなければならないため非常に面倒であった。
【０００４】
本発明は、上記課題を解決するためになされたものであり、パッチ機能を備えるとともに、用紙に対して正確かつ容易に貼着できる補強用テープ、及びその補強用テープを作成する印刷装置を提供することを目的とする。
【課題を解決するための手段】
【０００５】
上記目的を達成するために、請求項１に係る発明の補強用テープは、用紙の片面の縦方向に沿った一端側に貼り合わされる補強用テープであって、前記用紙の前記片面に貼り合わされた時の前記補強用テープの表面には、前記用紙の縦方向の中間位置を示す中間マークが設けられていることを特徴とする。
【０００６】
また、請求項２に係る発明の補強用テープは、請求項１に記載の発明の構成に加え、前記用紙の縦方向の長さよりも短い前記補強用テープの前記表面には、前記補強用テープの先端部を前記用紙の上端部に合わせるか、又は前記補強用テープの後端部を前記用紙の下端部に合わせるかを指示する指示マークが設けられていることを特徴とする。
【０００７】
また、請求項３に係る発明の補強用テープは、請求項２に記載の発明の構成に加え、前記指示マークは、前記用紙の前記一端側に合わされる前記補強用テープの幅方向の一端部に寄せて配置されていることを特徴とする。
【０００８】
また、請求項４に係る発明の補強用テープは、請求項１乃至３の何れかに記載の発明の構成に加え、前記用紙の上端部に合わせられる前記補強用テープの先端部には、前記用紙の前記一端側に貼り合わされた場合に、前記用紙の前記上端部から上方に突出するとともに、裏面を内側に折り返して接着される折返しタブ片が付設されていることを特徴とする。
【０００９】
また、請求項５に係る発明の補強用テープは、請求項４に記載の発明の構成に加え、前記表面には、前記折返しタブ片と前記補強用テープの前記上端部との境界を示すとともに、前記用紙の前記上端部に合わせられる基準となる基準線が印刷されていることを特徴とする。
【００１０】
また、請求項６に係る発明の印刷装置は、用紙の片面の縦方向に沿った一端側に貼り合わされ、前記用紙の前記片面に貼り合わされた時の前記補強用テープの表面に、前記用紙の縦方向の中間位置を示す中間マークが印刷された補強用テープを作成する印刷装置であって、前記補強用テープの前記表面に、文字、図形又はマークを印字する印字手段と、当該印字手段よりも前記補強用テープが搬送される下流側に設けられ、前記補強用テープを幅方向に切断する切断手段と、前記用紙のサイズを入力するサイズ入力手段と、当該サイズ入力手段によって入力された前記サイズの前記用紙の縦方向における長さの半分の長さである中間距離を演算する中間距離演算手段と、前記補強用テープの前記表面であって、前記用紙の上端部又は下端部に合わせられる前記補強用テープの先端部又は後端部から、前記中間距離演算手段によって演算された前記中間距離に相当する位置に前記中間マークを印刷するように前記印字手段を制御する印字制御手段とを備えている。
【００１１】
また、請求項７に係る発明の印刷装置は、請求項６に記載の発明の構成に加え、前記補強用テープのテープ長を、前記サイズ入力手段によって入力された前記サイズの縦方向の長さと同じ全長タイプか、前記縦方向の長さよりも短い節約タイプかを選択するテープ長選択手段と、当該テープ長選択手段によって選択されたタイプの前記テープ長となるように、前記補強用テープの切断位置と前記切断手段の位置とを合わせる切断位置制御手段と、前記テープ長選択手段によって前記節約タイプが選択された場合に、前記補強用テープの先端部を前記用紙の上端部に合わせる上合わせタイプか、前記補強用テープの後端部を前記用紙の下端部に合わせる下合わせタイプかを選択する合わせ端部選択手段とを備え、前記印字制御手段は、前記合わせ端部選択手段によって選択されたタイプに従って、前記補強用テープの先端部を前記用紙の上端部に、又は前記補強用テープの後端部を前記用紙の後端部に合わせることを指示する指示マークを、前記補強用テープの前記表面に印字するように前記印字手段を制御することを特徴とする。
【００１２】
また、請求項８に係る発明の印刷装置は、請求項６又は７に記載の発明の構成に加え、前記印字制御手段は、前記補強用テープの一枚分の印刷範囲の末尾に、次回の印刷範囲の先頭部分までを印刷するように前記印字手段を制御することを特徴とする。
【００１３】
また、請求項９に係る発明の印刷装置は、請求項８に記載の発明の構成に加え、前記印刷範囲の前記先頭部分の長さは、前記印字手段と前記切断手段とが離間する距離に相当することを特徴とする。
【００１４】
また、請求項１０に係る発明の印刷装置は、請求項６乃至９の何れかに記載の発明の構成に加え、前記補強用テープの先端部に、裏面を内側に折り返して接着される折返しタブ片が付設されたタブ付きテープを作成することを指示するタブ付きテープ指示手段を備え、当該タブ付きテープ指示手段によって前記タブ付きテープを作成することが指示された場合、前記印字制御手段は、前記補強用テープの前記表面に対して、前記折返しタブ片と前記補強用テープの前記先端部との境界を示し、前記用紙の前記上端部に合わせられる基準となる基準線を印刷するとともに、当該基準線から、前記中間距離決定手段によって決定された前記中間距離に相当する位置に前記中間マークを印刷するように、前記印字手段を制御することを特徴とする。
【００１５】
また、請求項１１に係る発明の印刷装置は、請求項１０に記載の発明の構成に加え、前記折返しタブ片は、前記裏面を内側にして折り返された時の外側となる第１面と第２面とを備え、前記タブ付きテープ選択指示手段によって前記タブ付きテープを作成することが指示された場合、前記印字制御手段は、前記第１面及び前記第２面の少なくとも何れかに、文字、図形又はマークを印字するように、前記印字手段を制御することを特徴とする。
【００１６】
また、請求項１２に係る発明の印刷装置は、請求項１１に記載の発明の構成に加え、前記印字制御手段は、前記第１面に印字する文字、図形又はマークの位置と、前記第２面に印字する文字、図形又はマークの位置とを、折り返して接着された前記折返しタブ片の高さ方向にずらすように、前記印字手段を制御することを特徴とする。
【発明の効果】
【００１７】
請求項１に係る発明の補強用テープは、用紙の片面の縦方向に沿った一端側に貼り合わされることによって、用紙の一端側を補強することができる。そして、その表面には、用紙の縦方向の中間位置を示す中間マークが設けられているので、その中間マークを基準にしてパンチで穴を開けることができる。つまり、用紙の一端側に補強用テープを貼った後でパンチで穴を開けるので、パンチ穴を塞ぐことなく、パンチ穴の周囲を補強用テープで補強することができる。
【００１８】
また、請求項２に係る発明の補強用テープは、請求項１に記載の発明の効果に加え、用紙の縦方向の長さよりも短いので、補強用テープを節約することができる。そして、その補強用テープの表面に設けられた指示マークによって、補強用テープの先端部を用紙の上端部に合わせるか、又は補強用テープの後端部を用紙の下端部に合わせるかが分かる。さらに、その指示マークに従って補強用テープを用紙に合わせることによって、用紙の縦方向の中間位置に対して中間マークの位置を確実に合わせることができる。
【００１９】
また、請求項３に係る発明の補強用テープでは、請求項２に記載の発明の効果に加え、指示マークは、用紙の一端側に合わされる補強用テープの幅方向の一端部に寄せて配置されているので、用紙の一端側に位置合わせする補強用テープの一端部が容易に分かる。
【００２０】
また、請求項４に係る発明の補強用テープは、請求項１乃至３の何れかに記載の発明の効果に加え、補強用テープを用紙の上端部に貼り合わせた場合、用紙の上端部から折返しタブ片が上方に突出する。そして、その折返しタブ片を内側に折り返して接着することでタブとして利用することもできる。
【００２１】
また、請求項５に係る発明の補強用テープは、請求項４に記載の発明の効果に加え、補強用テープの表面に設けられた基準線を、用紙の上端部に合わせることによって、折返しタブ片のみを用紙の上端部から上方に突出させることができる。これにより、折返しタブ片を容易に折返して接着することができる。
【００２２】
また、請求項６に係る発明の印刷装置では、サイズ入力手段によって用紙のサイズが入力されると、中間距離演算手段によって、その入力されたサイズの用紙の縦方向の長さの半分の長さである中間距離が演算される。さらに、印字制御手段によって、補強用テープの表面であって、用紙の上端部又は下端部に合わせられる補強用テープの先端部又は後端部から、中間距離演算手段によって演算された中間距離に相当する位置に中間マークを印刷するように印字手段が制御される。これにより、補強用テープの表面に、用紙の縦方向の中間位置を示す中間マークを印刷することができる。また、印字手段によって中間マークが印刷されたテープを切断手段によって切断することによって、所望の長さの補強用テープを作成することができる。
【００２３】
また、請求項７に係る発明の印刷装置では、請求項６に記載の発明の効果に加え、テープ長選択手段によって、補強用テープのテープ長について、全長タイプ及び節約タイプから何れかを選択することができる。そして、切断位置制御手段によって、その選択されたタイプのテープ長となるように、切断手段の位置に対して補強用テープの切断位置を合わせることができる。さらに、テープ長選択手段によって節約タイプが選択された場合は、合わせ端部選択手段によって、上合わせタイプか下合わせタイプかを選択することができる。そして、上合わせタイプが選択された場合、印字制御手段による印字手段の制御によって、補強用テープの先端部を用紙の上端部に合わせる指示マークを補強用テープの表面に印刷することができる。また、下合わせタイプが選択された場合、印字制御手段による印字手段の制御によって、補強用テープの後端部を用紙の下端部に合わせる指示マークを補強用テープの表面に印刷することができる。
【００２４】
また、請求項８に係る発明の印刷装置では、請求項６又は７に記載の発明の効果に加え、従来ならば、切断手段によって補強用テープが切断されると、印字手段の下流側に位置する部分は印字できない。そこで、印字制御手段は、補強用テープの一枚分の印刷範囲の末尾に、次回の印刷範囲の先頭部分までを印刷するように印字手段を制御する。これにより、切断手段によって補強用テープが切断されても、印字手段の下流側には既に次回の印刷範囲の先頭部分が印刷されているので、補強用テープで無駄に破棄されていた部分を無くすことができる。
【００２５】
また、請求項９に係る発明の印刷装置では、請求項８に記載の発明の効果に加え、印刷範囲の先頭部分の長さは、印字手段と切断手段とが離間する距離に相当する。よって、一枚分の印刷範囲の末尾に続いて印字手段と切断手段との間の部分に、次回の印刷範囲の先頭部分を印刷できるので、次回の印刷において、その先頭部分を除いた部分から印刷することによって一枚分の印刷を正確に実行することができる。
【００２６】
また、請求項１０に係る発明の印刷装置では、請求項６乃至９の何れかに記載の発明の効果に加え、タブ付きテープ指示手段によって折返しタブ片が付いたタブ付きテープを作成することを指示することができる。タブ付きテープを作成することが指示された場合、印字制御手段による印字手段の制御によって、補強用テープの表面に対して基準線を印刷することができる。さらに、その基準線から、中間距離演算手段によって演算された中間距離に相当する位置に中間マークを印刷することができる。
【００２７】
また、請求項１１に係る発明の印刷装置では、請求項１０に記載の発明の効果に加え、印字制御手段による印字手段の制御によって、折返しタブ片の第１面及び前記第２面の少なくとも何れかに、文字、図形又はマークを印字することができる。例えば、用紙の内容等を示す文字、図形又はマークを印字することによって、バインダー等にファイルされた用紙の中から所望の用紙を見つけることができる。
【００２８】
また、請求項１２に係る発明の印刷装置では、請求項１１に記載の発明の効果に加え、印字制御手段による印字手段の制御によって、第１面に印字する文字等の位置と、第２面に印字する文字等の位置とを、折り返して接着された折返しタブ片の高さ方向にずらして印刷することができる。これにより、例えば、透明のタブ付きテープを作成する場合、折返しタブ片の第１面に印刷された文字等と、第２面に印刷された文字等とが重ならないようにすることができる。
【発明を実施するための最良の形態】
【００２９】
以下、本発明の一実施形態であるテーププリンタ１について、図面を参照して説明する。なお、参照する図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
【００３０】
はじめに、テーププリンタ１によって作成されるパッチテープについて説明する。図１は、記録用紙Ｐ１にパッチテープ４０１が貼られた状態の平面図であり、図２は、記録用紙Ｐ１にパッチテープ４０２が貼られた状態の平面図であり、図３は、記録用紙Ｐ１にパッチテープ４０３が貼られた状態の平面図であり、図４は、記録用紙Ｐ１にパッチテープ４０４が貼られた状態の平面図であり、図５は、記録用紙Ｐ１にパッチテープ４０６が貼られた状態の平面図であり、図６は、記録用紙Ｐ１にパッチテープ４０７が貼られた状態の平面図である。
【００３１】
本実施形態にかかるパッチテープは、記録用紙Ｐ１のサイズに応じて少なくとも１０種類のタイプがある。
・タイプ１−１．表全貼りタイプ（図１：パッチテープ４０１）
・タイプ１−２．裏全貼りタイプ
・タイプ２−１．節約−上合わせ−表貼りタイプ（図２：パッチテープ４０２）
・タイプ２−２．節約−上合わせ−裏貼りタイプ
・タイプ３−１．節約−下合わせ−表貼りタイプ（図３：パッチテープ４０３）
・タイプ３−２．節約−下合わせ−裏貼りタイプ
・タイプ４−１．節約−上合わせ−文字付−表貼りタイプ（図４：パッチテープ４０４）
・タイプ４−２．節約−上合わせ−文字付−裏貼りタイプ
・タイプ５−１．節約−上合わせ−タブ付−表貼りタイプ（図５：パッチテープ４０６）
・タイプ５−２．節約−上合わせ−タブ付−裏貼りタイプ（図６：パッチテープ４０７）
これらは、全て記録用紙の左端を綴じる左綴じ用のパッチテープであり、本実施形態に係るテーププリンタ１は、左綴じ用のパッチテープのみを作成するテーププリンタである。しかしながら、テーププリンタ１は、右綴じ用のパッチテープを作成することができるように構成されても構わないことは言うまでも無い。以下、これらのパッチテープについて順に説明する。
【００３２】
まず、タイプ１−１のパッチテープ４０１について説明する。図１に示すように、パッチテープ４０１は、記録用紙Ｐ１の表面の綴じ側の端部に沿って全体に貼られる「表全貼りタイプ」である。パッチテープ４０１は、紙、フィルム等を材質とするテープ基材と、該テープ基材の背面側に設けられた粘着剤層とから構成されている。なお、テープ基材は、有色に限らず、透明であってもよい。
【００３３】
このパッチテープ４０１の表面（記録用紙Ｐ１に貼られた時の表面）には、パンチ穴の穴開け位置を示す一対のパンチ穴位置マーク４２ａ，４２ａ（○マーク）が印刷されている。さらに、そのパンチ穴位置マーク４２ａ，４２ａの間には、記録用紙Ｐ１の縦方向の中間位置を示す中間マーク４１（△マーク）が印刷されている。この中間マーク４１は、記録用紙Ｐ１の綴じ側端部に合わせる「綴じ側合わせ端部Ｔ１」に寄せて配置され、その△の一の頂点を前記綴じ側合わせ端部Ｔ１に向けた状態で印刷されている。つまり、中間マーク４１は、記録用紙Ｐ１の「綴じ側合わせ端部Ｔ１」も示している。このようなパッチテープ４０１の綴じ側合わせ端部Ｔ１を、記録用紙Ｐ１の表面における綴じ側端部に合わせ、上端から下端にかけて全貼りする。これによって記録用紙Ｐ１の綴じ側の端部を補強することができる。
【００３４】
そして、このときのパンチ穴位置マーク４２ａ，４２ａの位置が、記録用紙Ｐ１に開けられる２つのパンチ穴の位置を示し、中間マーク４１の位置が、記録用紙Ｐ１の縦方向の中間位置を示している。よって、パンチ穴位置マーク４２ａ，４２ａの位置、又は中間マーク４１の位置を利用することで、穴開け機（図示外）に対する記録用紙Ｐ１の位置合わせが容易となる。さらに、記録用紙Ｐ１に開けられるパンチ穴の周囲はパッチテープ４０１で補強されているのでパッチとして利用できる。また、パッチテープ４０１のテープ基材に透明フィルムを使用した場合、記録用紙Ｐ１の表面の綴じ側に印刷された文字等が隠れない利点がある。なお、図１に示すパンチ穴位置マーク４２ａ，４２ａの形状、中間マーク４１の形状は一例であって、これに限定されるものではない。
【００３５】
なお、図示しないが、タイプ１−２のパッチテープは、記録用紙Ｐ１の裏面の綴じ側の端部に沿って綴じ側全部に貼られる「裏全貼りタイプ」である。このパッチテープの表面にも、上記と同じパンチ穴位置マーク４２ａ，４２ａと、中間マーク４１とが各々印刷されている。記録用紙Ｐ１の裏面に貼られることによって、記録用紙Ｐ１の綴じ側に印刷された文字がパッチテープに隠れない利点がある。
【００３６】
次に、タイプ２−１のパッチテープ４０２について説明する。図２に示すパッチテープ４０２は、記録用紙Ｐ１の縦方向長さよりも短く、記録用紙Ｐ１の上端部に合わせて表面に貼る「節約−上合わせ−表貼りタイプ」である。このパッチテープ４０２の表面には、上記と同じパンチ穴位置マーク４２ａ，４２ａと、中間マーク４１とが各々印刷されている。さらに、これらパンチ穴位置マーク４２ａ，４２ａ、中間マーク４１が印刷されている領域とは別の領域（図２の上側）には、矢印形状の合わせ端部指示マーク４３が左斜め上向きに印刷されている。そして、この合わせ端部指示マーク４３の矢印は、前記「綴じ側合わせ端部Ｔ１」と、記録用紙Ｐ１の上端部又は下端部に合わせる「縦方向合わせ端部Ｔ２」との両方を指し示している。このパッチテープ４０２の場合、合わせ端部指示マーク４３は、パッチテープ４０３の上側に配置されているので、パッチテープ４０３の先端（上端）が縦方向合わせ端部Ｔ２となる。
【００３７】
このようなパッチテープ４０２の綴じ側合わせ端部Ｔ１を、記録用紙Ｐ１の表面における綴じ側端部に合わせ、さらに縦方向合わせ端部Ｔ２を記録用紙Ｐ１の上端に合わせて貼ることによって、記録用紙Ｐ１の綴じ側の端部を補強することができる。また、２つのパンチ穴が開けられる位置は、パッチテープ４０２によって補強されているので、上記同様のパッチ機能を有することができる。なお、パンチ穴位置マーク４２ａ，４２ａの位置が、記録用紙Ｐ１に開けられる２つのパンチ穴の位置を示し、中間マーク４１の位置が、記録用紙Ｐ１の縦方向の中間位置を示している。
【００３８】
なお、図示しないが、タイプ２−２のパッチテープは、記録用紙Ｐ１の縦方向長さよりも短く、記録用紙Ｐ１の上端部に合わせて表面に貼る「節約−上合わせ−裏貼りタイプ」である。このパッチテープの表面にも、上記と同じパンチ穴位置マーク４２ａ，４２ａと、中間マーク４１とが各々印刷されている。記録用紙Ｐ１の裏面に貼られることによって、記録用紙Ｐ１の綴じ側に印刷された文字がパッチテープに隠れない利点がある。
【００３９】
次に、タイプ３−１のパッチテープ４０３について説明する。図３に示すパッチテープ４０３は、記録用紙Ｐ１の縦方向長さよりも短く、記録用紙Ｐ１の上端部に合わせて表面に貼る「節約−下合わせ−表貼りタイプ」である。このパッチテープ４０３の表面にも、上記と同じパンチ穴位置マーク４２ａ，４２ａと、中間マーク４１とが各々印刷されている。さらに、これらパンチ穴位置マーク４２ａ，４２ａ、中間マーク４１が印刷されている領域とは別の領域（図３の下側）に、矢印形状の合わせ端部指示マーク４３が印刷されている。この場合、合わせ端部指示マーク４３は、パッチテープ４０３の下側に配置されているので、パッチテープ４０３の後端（下端）が縦方向合わせ端部Ｔ２となる。
【００４０】
このようなパッチテープ４０３の綴じ側合わせ端部Ｔ１を、記録用紙Ｐ１の表面における綴じ側端部に合わせ、さらに縦方向合わせ端部Ｔ２を記録用紙Ｐ１の下端に合わせて貼ることによって、記録用紙Ｐ１の綴じ側の端部を補強することができる。また、２つのパンチ穴が開けられる位置は、パッチテープ４０３によって補強されているので、上記と同様のパッチ機能を有することができる。なお、パンチ穴位置マーク４２ａ，４２ａの位置が、記録用紙Ｐ１に開けられる２つのパンチ穴の位置を示し、中間マーク４１の位置が、記録用紙Ｐ１の縦方向の中間位置を示している。
【００４１】
なお、図示しないが、タイプ３−２のパッチテープは、記録用紙Ｐ１の縦方向長さよりも短く、記録用紙Ｐ１の上端部に合わせて表面に貼る「節約−下合わせ−裏貼りタイプ」である。このパッチテープの裏面にも、上記と同じパンチ穴位置マーク４２ａ，４２ａと、中間マーク４１とが各々印刷されている。記録用紙Ｐ１の裏面に貼られることによって、記録用紙Ｐ１の綴じ側に印刷された文字がパッチテープに隠れない利点がある。
【００４２】
次に、タイプ４−１のパッチテープ４０４について説明する。図４に示すパッチテープ４０４は、記録用紙Ｐ１の縦方向長さよりも短く、記録用紙Ｐ１の上端部に合わせて表面に貼るものであって、文字等が付いた「節約−上合わせ−文字付−表貼りタイプ」である。そして、このパッチテープ４０４における記録用紙Ｐ１の上端部に合わせて貼られる先端近傍には、パッチテープ４０４の幅方向に、例えば「○○太郎」との文字が印刷されている。つまり、記録用紙Ｐ１の上端部に位置する部分に、その記録用紙Ｐ１の内容等を示す文字、図形又は記号等が印刷されていることによって、例えば、「○○太郎」が書いた内容の記録用紙Ｐ１をバインダーの中から容易に見付けだすことができる。
【００４３】
なお、図示しないが、タイプ４−２のパッチテープは、記録用紙Ｐ１の縦方向長さよりも短く、記録用紙Ｐ１の上端部に合わせて裏面に貼るものであって、文字が付いた「節約−上合わせ−文字付−裏貼りタイプ」である。このパッチテープの表面にも、上記と同じパンチ穴位置マーク４２ａ，４２ａと、中間マーク４１とが各々印刷されている。記録用紙Ｐ１の裏面に貼られることによって、記録用紙Ｐ１の綴じ側に印刷された文字がパッチテープに隠れない利点がある。なお、タイプ４−２のパッチテープの一例として、後述する図１０に示すパッチテープ４０５が相当する。
【００４４】
次に、タイプ５−１のパッチテープ４０６について説明する。図５に示すパッチテープ４０６は、記録用紙Ｐ１の縦方向長さよりも短く、記録用紙Ｐ１の表面に且つ上端部に合わせて貼るものであって、折返しタブ片４６が付いた「節約−上合わせ−タブ付き−表貼りタイプ」である。このパッチテープ４０６の表面には、上記の「縦方向合わせ端部Ｔ２」に相当する位置に基準線４８が印刷されている。そして、この基準線４８に文字付きの折返しタブ片４６が付設されている。この折返しタブ片４６は、粘着剤が塗布された裏面を内側にして半分に折返すことによって使用される。そして、このようなパッチテープ４０６の「綴じ側合わせ端部Ｔ１」を記録用紙Ｐ１の表面における綴じ側端部に合わせ、基準線４８を記録用紙Ｐ１の上端部に合わせて貼ることによって、記録用紙Ｐ１の表面の綴じ側を補強できるとともに、折返しタブ片４６を記録用紙Ｐ１から突出させてタブとして利用することができる。
【００４５】
また、半分に折り返して接着された折返しタブ片４６の両面には、例えば「○○太郎」との文字が印刷されている。つまり、折返しタブ片４６は、上記したタイプ４のパッチテープ４０４と同じインデックス機能を有するとともに、記録用紙Ｐ１の上端から突出するので、バインダーから所望の記録用紙Ｐ１をより早く見付けだすことができる。
【００４６】
次に、タイプ５−２のパッチテープ４０７について説明する。図６に示すパッチテープ４０７は、記録用紙Ｐ１の縦方向長さよりも短く、記録用紙Ｐ１の裏面の上端部に合わせて貼るものであって、折返しタブ片４６が付いた「節約−上合わせ−タブ付き−裏貼りタイプ」である。つまり、パッチテープ４０７は記録用紙Ｐ１の裏面から貼るタイプのテープである。このようなパッチテープ４０７にも、上記と同様のパンチ穴位置マーク４２ａ，４２ａと、中間マーク４１とが各々印刷されている。そして、このようなパッチテープ４０７の中間マーク４１が示す「綴じ側合わせ端部Ｔ１」を、記録用紙Ｐ１の表面における綴じ側端部に合わせるとともに、基準線４８を記録用紙Ｐ１の上端部に合わせて貼ることによって、記録用紙Ｐ１の表面の綴じ側を隠さずに補強することができる。
【００４７】
次に、パッチテープに印刷される各種マーク位置について、図７乃至図１２を参照して説明する。図７は、パッチテープ４０２の表面に印刷された各種マーク位置を示す説明図であり、図８は、パッチテープ４０３の表面に印刷された各種マーク位置を示す説明図であり、図９は、パッチテープ４０４の表面に印刷された各種マーク位置を示す説明図であり、図１０は、パッチテープ４０５の表面に印刷された各種マーク位置を示す説明図であり、図１１は、パッチテープ４０６の表面に印刷された各種マーク位置を示す説明図であり、図１２は、パッチテープ４０７の表面に印刷された各種マーク位置を示す説明図である。なお、ここでは、節約タイプのパッチテープを中心に説明する。
【００４８】
例えば、図７に示す文字印刷の無いタイプ２−１のパッチテープ４０２では、パッチテープの長手方向において、縦方向合わせ端部Ｔ２から中間マーク４１までの距離を距離ａとする。パッチテープの長手方向の距離を距離ｂとする。パッチテープの幅方向において、綴じ側合わせ端部Ｔ１から合わせ端部指示マーク４３の矢印の先端までの距離を距離ｃとする。パッチテープの幅方向において、綴じ側合わせ端部Ｔ１からパンチ穴位置マーク４２ａ，４２ａの中心位置までの距離を距離ｄとする。パッチテープの長手方向において、パンチ穴位置マーク４２ａの中心から中間マーク４１までの距離を距離ｅとする。さらに、パッチテープの長手方向において、後述するテーププリンタ１によるパッチテープの印刷開始位置から合わせ端部指示マーク４３の矢印の先端までの距離を距離ｉとする。また、パッチテープの長手方向において、後述するテーププリンタ１によるパッチテープのカット位置（縦方向合わせ端部Ｔ２）から印字開始位置までの距離を距離ｊとする。なお、ｔｗはパッチテープの幅方向の長さを示す。
【００４９】
また、図９に示す文字印刷の有るタイプ４−１のパッチテープ４０４では、パッチテープの長手方向において、文字が印刷される文字印刷領域の距離を距離ｈとする。さらに、パッチテープの長手方向において、縦方向合わせ端部Ｔ２から合わせ端部指示マーク４３の矢印の先端までの距離を距離ｉとする。
【００５０】
また、図１１に示す折返しタブ片４６が付いたタイプ５−１のパッチテープ４０６では、パッチテープの長手方向において、基準線４８から、折返しタブ片４６の中央に印刷された折返し線４９までの距離を距離ｆとする。さらに、その基準線４８から折返しタブ片４６の先端までの長さを距離ｇとする。これら距離ｆ，ｇを利用することによって、折返しタブ片４６のサイズを決めることができる。そして、これら距離ａ，ｂ，ｃ，ｄ，ｅ，ｈ，ｉ，ｊを文字印刷の有無、折返しタブ片４６の有無等によってそれぞれ使い分けることによって、パンチ穴位置マーク４２ａ，４２ａ、中間マーク４１、合わせ端部指示マーク４３の位置を決めることができる。以下、これら距離ａ〜ｊに基づいて、上記のうち節約タイプのパッチテープにおける各種マーク位置について説明する。なお、図７乃至図１２に示した寸法の単位はｍｍである。
【００５１】
まず、パッチテープ４０２の表面に印刷された各種マーク位置について、図７を参照して具体的に説明する。パッチテープ４０２は、記録用紙Ｐ１に使用され、タイプ２−１の「節約−上合わせ−表貼りタイプ」のテープである。このパッチテープ４０２の幅はロールテープの幅ｔｗによる。幅が異なる場合は、図７のように綴じ側合わせ端部Ｔ１を基準として（ｔｗ）のように、図７の上方向に伸縮する。そして、パッチテープ４０２に印刷されたパンチ穴位置マーク４２ａ，４２ａ、中間マーク４１、合わせ端部指示マーク４３の位置は何れの幅において同じである。
【００５２】
さらに、パンチ穴位置マーク４２ａ，４２ａの幅方向の位置は綴じ側合わせ端部Ｔ１を基準とした距離ｄに基づいて配置され、中間マーク４１、合わせ端部指示マーク４３の幅方向の各位置は、綴じ側合わせ端部Ｔ１を基準とした距離ｃに基づいて配置されている。また、パッチテープ４０２を後述するテーププリンタ１における印刷方向に沿って配置した場合、縦方向合わせ端部Ｔ２は印刷方向上流側の端部であって、中間マーク４１は下向きで下側に配置され、合わせ端部指示マーク４３は左斜め下向きで下側に配置され、パンチ穴位置マーク４２ａ，４２ａは上側に配置される。なお、テーププリンタ１におけるパッチテープの印刷方向については後述する。
【００５３】
次に、パッチテープ４０３の表面に印刷された各種マーク位置について、図８を参照して具体的に説明する。パッチテープ４０３は、記録用紙Ｐ１に使用され、タイプ３−１の「節約−下合わせ−表貼りタイプ」のテープである。このパッチテープ４０３の幅はロールテープの幅ｔｗである。さらに、パンチ穴位置マーク４２ａ，４２ａの幅方向の位置は距離ｔｗ−ｄに基づいて配置される。また、中間マーク４１、合わせ端部指示マーク４３の幅方向の各位置は距離ｔｗ−ｃに基づいて配置されている。そして、パッチテープ４０３を後述するテーププリンタ１における印刷方向に沿って配置した場合、縦方向合わせ端部Ｔ２は印刷方向上流側に配置され、中間マーク４１は上向きで上側に配置され、合わせ端部指示マーク４３は左斜め上向きで上側に配置され、パンチ穴位置マーク４２ａ，４２ａは下側に配置される。  
【００５４】
次に、パッチテープ４０４の表面に印刷された各種マーク位置について、図９を参照して具体的に説明する。パッチテープ４０４は、記録用紙Ｐ１に使用され、タイプ４−１の「節約−上合わせ−文字付−表貼りタイプ」のテープである。パッチテープ４０４の幅はロールテープの幅ｔｗによる。幅が異なる場合は、図９のように綴じ側合わせ端部Ｔ１を基準として（ｔｗ）のように、図９の下方向に伸縮する。さらに、パンチ穴位置マーク４２ａ，４２ａの幅方向の位置は距離ｔｗ−ｄに基づいて配置され、中間マーク４１、合わせ端部指示マーク４３の幅方向の各位置は距離ｔｗ−ｃに基づいて配置されている。そして、パッチテープ４０４を後述するテーププリンタ１における印刷方向に沿って配置した場合、縦方向合わせ端部Ｔ２は印刷方向下流側に配置され、中間マーク４１は上向きで上側に配置され、合わせ端部指示マーク４３は右斜め上向きで上側に配置され、パンチ穴位置マーク４２ａ，４２ａは下側に配置されている。また、合わせ端部指示マーク４３は、縦方向合わせ端部Ｔ２から距離ｉ離れた位置に配置されている。
【００５５】
次に、パッチテープ４０５の表面に印刷された各種マーク位置について、図１０を参照して具体的に説明する。パッチテープ４０５は、記録用紙Ｐ１に使用され、タイプ４−２の「節約−上合わせ−文字付−裏貼りタイプ」のテープである。パッチテープ４０５の幅はロールテープの幅ｔｗによる。幅が異なる場合は、図１０のように綴じ側合わせ端部Ｔ１を基準として（ｔｗ）のように、図１０の上方向に伸縮する。さらに、パンチ穴位置マーク４２ａ，４２ａの幅方向の位置は、綴じ側合わせ端部Ｔ１を基準とした距離ｄに基づいて配置され、中間マーク４１、合わせ端部指示マーク４３の幅方向の各位置は、綴じ側合わせ端部Ｔ１を基準とした距離ｃに基づいて配置されている。そして、パッチテープ４０５を後述するテーププリンタ１における印刷方向に沿って配置した場合、縦方向合わせ端部Ｔ２は、印刷方向下流側に配置され、中間マーク４１は下向きで下側に配置され、合わせ端部指示マーク４３は右斜め下向きで下側に配置され、パンチ穴位置マーク４２ａ，４２ａは上側に配置されている。また、パッチテープ４０５についても文字付きであるから、距離ｉは、図９に示すパッチテープ４０４の距離ｉと同じになっている。
【００５６】
次に、パッチテープ４０６の表面に印刷された各種マーク位置について、図１１を参照して具体的に説明する。パッチテープ４０６は、記録用紙Ｐ１に使用され、タイプ５−１の「節約−上合わせ−タブ付−表貼りタイプ」のテープである。パッチテープ４０６の幅は、ロールテープの幅ｔｗによる。幅が異なる場合は、図１１のように綴じ側合わせ端部Ｔ１を基準として、（ｔｗ）のように、図１１の下方向に伸縮する。そして、パッチテープ４０６は、折返しタブ片４６を備えている。折返しタブ片４６は、パッチテープ４０６の「縦方向合わせ端部Ｔ２」に相当する位置に印刷された基準線４８に連結されている。さらに、折返しタブ片４６は左右対象形状であり、折返された時の表側となる第１面４６ａと第２面４６ｂとで構成されている。そして、それら第１面４６ａと第２面４６ｂとの間に折返し線４９が印刷されている。
【００５７】
そして、パンチ穴位置マーク４２ａ，４２ａの幅方向の位置は距離ｔｗ−ｄに基づいて配置され、中間マーク４１、合わせ端部指示マーク４３の幅方向の各位置は距離ｔｗ−ｃに基づいて配置されている。そして、パッチテープ４０６を後述するテーププリンタ１における印刷方向に沿って配置した場合、中間マーク４１は上向きで上側に配置され、合わせ端部指示マーク４３は右斜め上向きで上側に配置され、パンチ穴位置マーク４２ａ，４２ａは下側に配置される。さらに、折返しタブ片４６の長さについては、パッチテープ４０６の長手方向における距離ｆ，距離ｇで決定される。
【００５８】
次に、パッチテープ４０７の表面に印刷された各種マーク位置について、図１２を参照して具体的に説明する。パッチテープ４０７は、記録用紙Ｐ１に使用され、タイプ５−２の「節約−上合わせ−タブ付−裏貼りタイプ」のテープである。パッチテープ４０７の幅は、ロールテープの幅ｔｗによる。幅が異なる場合は、図１２のように綴じ側合わせ端部Ｔ１を基準として、（ｔｗ）のように、図１２の上方向に伸縮する。そして、パッチテープ４０７も、上記と同様の折返しタブ片４６を備えている。この折返しタブ片４６は、上記したパッチテープ４０６と同じである。
【００５９】
そして、パンチ穴位置マーク４２ａ，４２ａの幅方向の位置は、綴じ側合わせ端部Ｔ１を基準とした距離ｄに基づいて配置され、中間マーク４１、合わせ端部指示マーク４３の幅方向の各位置は、綴じ側合わせ端部Ｔ１を基準とした距離ｃに基づいて配置されている。そして、パッチテープ４０７を後述するテーププリンタ１における印刷方向に沿って配置した場合、中間マーク４１は下向きで下側に配置され、合わせ端部指示マーク４３は右斜め下向きで下側に配置され、パンチ穴位置マーク４２ａ，４２ａは上側に配置されている。さらに、折返しタブ片４６の長さについては、パッチテープ４０７の長手方向における距離ｆ，距離ｇで決定される。
【００６０】
なお、詳しくは説明しないが、タイプ１−１，１−２のパッチテープについても、他の節約タイプと同様に、中間マーク１４、パンチ穴位置マーク４２ａ，４２ａが配置されている。このパッチテープは全貼りタイプであるので、合わせ端部指示マーク４３は必ずしも印刷されていなくてよい。よって、少なくとも距離ｔｗ、距離ａ、距離ｂ、距離ｄ、距離ｅ、距離ｈを考慮すればよい。
【００６１】
以上説明したように、パッチテープ４０１〜４０７に印刷されるパンチ穴位置マーク４２ａ，４２ａ、中間マーク４１、合わせ端部指示マーク４３の各位置は、距離ａ〜ｊ、ｔｗ−ｃ、ｔｗ−ｄによって特定することができる。そして、これらの距離は、記録用紙Ｐ１のサイズ（例えば、Ａ４，Ｂ５等）によって種々異なる。つまり、記録用紙Ｐ１のサイズと、作成したいパッチテープの種類とに応じて、距離ａ〜ｊ、ｔｗ−ｃ、ｔｗ−ｄを決定することによって、所望のパッチテープを作成することができる。
【００６２】
次に、パッチテープを作成可能なテーププリンタ１の構造について、図１３乃至図１８を参照して説明する。図１３は、テーププリンタ１の概略斜視図であり、図１４は、テーププリンタ１にテープホルダ３が装着された状態を上カバー５を取り外して示す斜視図であり、図１５は、テーププリンタ１にテープホルダ３が装着された状態を上カバー５を取り外して示す側断面図であり、図１６は、判別凹部４Ｂの周囲を示す部分拡大図であり、図１７は、パッチ用ロールテープ８１が装着されたテープホルダ３の前側上方から見た斜視図であり、図１８は、パッチ用ロールテープ８１が装着されたテープホルダ３の下側後方から見た斜視図である。
【００６３】
図１３，図１４，図１５に示すように、テーププリンタ１は、底面が略長方形を成した本体筐体２の後側に、テープホルダ３を収納するテープホルダ収納部４を備えている。テープホルダ３は、所定幅（本実施例では、１８ｍｍ幅又は２４ｍｍ幅）のパッチ用ロールテープ８１が巻回されて構成されている。パッチ用ロールテープ８１は、テープ基材が台紙上に粘着されている。パッチ用ロールテープ８１は、テープが貼り付けられている面（表面）を中側にしてテープホルダ３に巻回されている。
【００６４】
また、テーププリンタ１は、図１５に示すように、前側にプラテンローラ２６やサーマルヘッド３１（図１９参照）を格納した印刷機構部３０を備えている。そして、テープホルダ収納部４の上側を覆うように後側上端縁部に開閉自在に取り付けられた透明樹脂製の上カバー５（図１３参照）が設けられている。そして、本体筐体２の正面にはカッタ８（図１５参照）を左右に移動させるカットレバー９（図１４，図１５参照）が設けられ、本体筐体２の上面前側には電源ボタン６５、印刷指示を入力するための各種の入力キー５９、ＬＣＤ（液晶ディスプレイ）５８が設けられている。なお、カッタ８が本発明の切断手段に相当する。
【００６５】
ここで、入力キー５９は、印刷指示を入力する印刷キー５９１、各種設定を行うためのメニューを表示したり確定したりするためのＯＫキー５９２、矢印キー５９３，５９４、ＥＳＣキー５９５とから構成されている。また、本体筐体２の背面には電源コード１０が接続されており、さらにパーソナルコンピュータ等（図示外）と接続されるＵＳＢ（Ｕｎｉｖｅｒｓａｌ  Ｓｅｒｉａｌ  Ｂｕｓ）等から構成されるコネクタ部（図示外）が設けられている。
【００６６】
ところで、図１６に示すように、テープホルダ収納部４の底面には、平面視横長長方形状の位置決め凹部４Ａが所定深さで形成されている。また、その位置決め凹部４Ａにおけるホルダ支持部材１５側には、さらに深く形成された平面視縦長の長方形状の判別凹部４Ｂが形成されている。この判別凹部４Ｂには、テープホルダ３の位置決め保持部材１２に設けられた後述するシート判別部６０（図１８参照）が対向するようになっている。
【００６７】
ここで、判別凹部４Ｂについて説明する。図１６に示すように、判別凹部４Ｂには、プッシュ式のマイクロスイッチ等から構成され、各種シートの種別、感熱シートの材質、ロールテープ幅等を判別するための５個のシート識別センサＳＳ１、ＳＳ２、ＳＳ３、ＳＳ４、ＳＳ５がＬ字状に設けられている。これらシート識別センサＳＳ１〜ＳＳ５は、プランジャーとマイクロスイッチ等から構成される公知の機械式スイッチからなる。そして、これら各プランジャーの上端部は、判別凹部４Ｂの底面部から位置決め凹部４Ａの底面部近傍まで突出して設けられている。このような構成からなる判別凹部４Ｂでは、シート識別センサＳＳ１〜ＳＳ５によって、テープホルダ３のシート判別部６０に設けられた後述するセンサ孔６０Ａ〜６０Ｅ（図１８参照）の有無が検出される。そして、後述する主制御基板４０（図１９参照）において、これらシート識別センサＳＳ１〜ＳＳ５から出力されるオン・オフ信号に基づいて、テープホルダ３に装着された各ロールテープの種類、感熱シートの材質、ロールテープ幅等がそれぞれ特定される。
【００６８】
なお、シート識別センサＳＳ１〜ＳＳ５の各プランジャーは、判別凹部４Ｂの底面から位置決め凹部４Ａの底面部近傍まで常に突出され、マイクロスイッチはオフ状態になっている。つまり、シート判別部６０のセンサ孔６０Ａ〜６０Ｅが、シート識別センサＳＳ１〜ＳＳ５に対向する位置にある場合にはプランジャーは押下されず、マイクロスイッチはオフ状態となるため、オフ信号が出力される。一方、シート判別部６０のセンサ孔６０Ａ〜６０Ｅが、シート識別センサＳＳ１〜ＳＳ５に対向する位置に無い場合には、プランジャーが押下されてマイクロスイッチがオン状態になるため、オン信号が出力される。よって、シート識別センサＳＳ１〜ＳＳ５によって、５ビットの「０」、「１」信号が出力され、シート識別センサＳＳ１〜ＳＳ５が全てオフ状態の場合、即ち、テープホルダ３が装着されていない場合には、５ビットの「０００００」の信号が出力される。
【００６９】
また、図１４，図１５に示すように、テープホルダ３には、パッチ用ロールテープ８１が巻回される軸部材９０（図１５参照）が設けられ、軸部材９０の一方の端（図１４における右側の端）には、薄い板状部材の位置決め保持部材１２が軸部材９０に垂直に設けられており、他方の端（図１４における左側の端）には、薄い板状部材のガイド部材２０が軸部材９０に垂直に設けられている。そして、軸部材９０には、パッチ用ロールテープ８１が、その台紙の表面が内側になるように巻回されている。そして、位置決め保持部材１２とガイド部材２０とでパッチ用ロールテープ８１の巻回がずれないように挟んでいる。
【００７０】
そして、図１５に示すように、印刷機構部３０の上部に、テーププリンタ１の左右方向に細長く開口された挿入口１８から、印刷機構部３０内へパッチ用ロールテープ８１の端が挿入される。挿入口１８から印刷機構部３０へ挿入されたパッチ用ロールテープ８１の搬送経路には、サーマルヘッド３１及びプラテンローラ２６が設けられている。このプラテンローラ２６は、テーププリンタ１の左右方向に設けられた略円柱状のローラである。また、サーマルヘッド３１は、プラテンローラ２６に対向する位置にテーププリンタ１の左右方向に設けられており、パッチ用ロールテープ８１のテープ幅方向（短手方向）に行単位で印刷を行うライン型のサーマルヘッドである。そして、印刷時には、挿入口１８に挿入されたパッチ用ロールテープ８１が、プラテンローラ２６の回転駆動によってテープホルダ３から引き出し搬送されつつ、サーマルヘッド３１の駆動制御によって印刷面に順次画像データが印刷されることとなる。そして、印刷されたパッチ用ロールテープ８１は、上カバー５と本体筐体２の間に設けられた排出口９９（図１３参照）から排出され、カッタ８により切断される。
【００７１】
次に、テープホルダ３の概略構成について説明する。なお、テープホルダ３には各種ロールテープが周方向に回転可能に装着されるが、全て同一構成であるため、ここでは、パッチ用ロールテープ８１が装着された状態について説明する。図１７，図１８に示すように、テープホルダ３は、板状のガイド部材２０と、該ガイド部材２０の内側面に立設された第１筒部（図示外）と、位置決め保持部材１２と、該位置決め保持部材１２の内側面に立設された第２筒部（図示外）とを備えている。
【００７２】
そして、ガイド部材２０の第１筒部に嵌挿されて一端側端面の外周部に形成されるフランジ部３５が、該第１筒部の外側端面、即ちガイド部材２０の外側端面に固着されると共に、他端側端部が位置決め保持部材１２の第２筒部内に嵌挿されて該第２筒部に固着される略筒状のホルダ軸部材７０とから構成されている。したがって、ホルダ軸部材７０の長さ寸法を変更することにより、異なる幅寸法のパッチ用ロールテープ８１が装着されたテープホルダ３を容易に製作することができる。
【００７３】
ガイド部材２０には、第１筒部（図示外）から下方に延出された長方形状の第１延出部７６が形成されている。この第１延出部７６は、テープホルダ収納部４の底面に形成された位置決め凹部４Ａに嵌入されるとともに、その位置決め凹部４Ａの底面に当接される。さらに、ガイド部材２０には、パッチ用ロールテープ８１の前側方向の略１／４円周上の外側端面部を覆うようにして、外側方向に延出される第２延出部７３が形成されている。また、その第２延出部７３の外周部の上部には、前下がり状に延出された第３延出部７４が形成されている。この第３延出部７４は、テープホルダ３がテーププリンタ１のテープホルダ収納部４に収納された状態において、挿入口１８近傍まで前下がり状に延出された形状となっている。
【００７４】
さらに、第３延出部７４の先端部の下端面は略水平に形成され、テーププリンタ１の載置部２１上に当接して、第３延出部７４と第２延出部７３の内側面によって、パッチ用ロールテープ８１の一側部を挿入口１８まで案内するように構成されている。また、この第３延出部７４の下端面の載置部２１の搬送方向後端縁部に対向する位置から第１延出部７６まで所定長さ延出される第４延出部７５が形成されている。そして、第３延出部７４の下端面が載置部２１上に当接された場合には、この第４延出部７５の搬送方向先端部分が、装着されたパッチ用ロールテープ８１のシート幅に対向する複数の第２位置決め溝部（図示外）の何れかに嵌入されるように構成されている。
【００７５】
また、ガイド部材２０の内側面に立設された第１筒部と位置決め保持部材１２の内側面に立設された第２筒部とによって、パッチ用ロールテープ８１が巻回された巻芯が回転可能に保持される。なお、ホルダ軸部材７０は、パッチ用ロールテープ８１の巻芯の各長さ寸法に対応して複数種類の長さ寸法のものが設けられている。また、位置決め保持部材１２の外側端面部の搬送方向の略中央部に、即ち、ホルダ軸部材７０の軸心の端縁部から該軸心に対してほぼ直交するように、上下方向に縦長の断面略矩形状の取付部材１３が突設されている。この取付部材１３は、正面視下方向に幅狭になるように形成され、テーププリンタ１のホルダ支持部材１５の下方向に幅狭な第１位置決め溝部１６内に密着可能に形成されている。また、この取付部材１３の突出高さ寸法は、この第１位置決め溝部１６の幅寸法にほぼ等しく形成されている。
【００７６】
さらに、位置決め保持部材１２の取付部材１３の下端部には、該取付部材１３の下端部よりも左右方向に各々外側方向に所定長さ突出する正面視略四角形の平板状の案内部５５が形成されている。これにより、テープホルダ３を装着する場合は、取付部材１３の下端部に形成される案内部５５をホルダ支持部材１５の外側端面に当接させつつ、取付部材１３を第１位置決め溝部１６に挿入することによって、該テープホルダ３を容易に位置決めしつつ装着することができる。また、位置決め保持部材１２の延出部（図示外）の下端縁部は、ガイド部材２０の下端縁部よりも所定長さ下側方向に突出するように延出されると共に、該下端縁部には、略直角内側方向に所定長さ延出される略長四角形のシート判別部６０が形成されている。
【００７７】
ここで、シート判別部６０について説明する。図１８に示すように、このシート判別部６０には、各シート識別センサＳＳ１〜ＳＳ５に対向する所定位置に、各センサ孔６０Ａ〜６０Ｅが略Ｌ字状に配置されて穿設されている。これにより、各センサ孔６０Ａ〜６０Ｅは、最大５個穿設されるため、１つ１つの有無を「１」と「０」に対応させることにより、該テープホルダ３に装着されたパッチ用ロールテープ８１の種別、感熱シートの材質、ロールテープ幅等を５ビットの符号によって表示することができる。また、位置決め保持部材１２の取付部材１３の下端部には、延出部（図示外）に縦長四角形の貫通孔（図示外）が穿設され、該貫通孔（図示外）の上端縁部には、下側方向に先端部に外側方向に突出する突起部が形成された弾性係止片１２Ａが設けられている。この弾性係止片１２Ａは、テーププリンタ１のテープホルダ収納部４に立設されたホルダ支持部材１５の係合凹部１５Ａに係合するようになっている。
【００７８】
次に、テーププリンタ１の電気的構成について、図１９を参照して説明する。図１９は、テーププリンタ１の電気的構成を示すブロック図である。テーププリンタ１には、主制御基板４０が設けられ、主制御基板４０には、テーププリンタ１の主制御を司るＣＰＵ１１が設けられ、ＣＰＵ１１には、文字や記号等のグラフィックデータを記憶したＣＧＲＯＭ３２と、制御プログラムを記憶したＲＯＭ３３と、各種記憶領域を有するＲＡＭ３４と、パーソナルコンピュータと通信するためのＵＳＢインターフェース（Ｉ／Ｆ）１７と、印刷履歴を記憶するＥＥＰＲＯＭ３５と、入出力インターフェース３６とが、データバス３７を介して接続されている。
【００７９】
また、テーププリンタ１の入出力インターフェース３６には、シート識別センサＳＳ１〜ＳＳ５と、サーマルヘッド３１を駆動する駆動回路２３と、プラテンローラ２６を回転させるテープ送りモータ２９を駆動する駆動回路２４と、電源の入り切りを指示する電源ボタン６５と、印刷や再印刷等の指示を入力する複数の入力キー５９と、ＬＣＤ５８を制御するディスプレイコントローラ５７とが接続されている。
【００８０】
次に、ＲＡＭ３４の各種記憶領域について、図１９乃至図２４を参照して説明する。図２０は、幅／ドット数テーブル３４１１の概念図であり、図２１は、種別データテーブル３４２１の概念図であり、図２２は、距離／ドット数テーブル３４３１の概念図であり、図２３は、文字／ドット数テーブル３４４１の概念図であり、図２４は、タブ／ドット数テーブル３４５１の概念図である。
【００８１】
図１９に示すように、ＲＡＭ３４には、テープ幅に対応するドット数を設定するための幅／ドット数テーブル３４１１を記憶する幅／ドット数テーブル記憶領域３４１と、作成するパッチテープの種類に応じて、距離ａ、距離ｂ、後述するマークタイプが０か１か、文字印刷が可能か否かが設定された種別データテーブル３４２１を記憶する種別データテーブル記憶領域３４２と、距離ｃ，ｄ，ｅ，ｈ，ｊをドット数で設定するための距離／ドット数テーブル３４３１を記憶する距離／ドット数テーブル記憶領域３４３と、文字の有無に応じて距離ｉをドット数で設定するための文字／ドット数テーブル３４４１を記憶する文字／ドット数テーブル記憶領域３４４と、折返しタブ片４６の有無に応じて距離ｆ，ｇをドット数で設定するためのタブ／ドット数テーブル３４５１を記憶するタブ／ドット数テーブル記憶領域３４５と、印字制御上使用され、後述する戻るフラグ、共通パターン印刷済みフラグ等の各種フラグを設定するための各種フラグ記憶領域３４６と、印刷データを記憶する印刷データ記憶領域３４７、ユーザによって入力されたユーザ文字を記憶するユーザ文字記憶領域３４８等が設けられている。以下、各種テーブルについて順に説明する。
【００８２】
幅／ドット数テーブル３４１１について説明する。図２０に示すように、幅／ドット数テーブル３４１１には、１８ｍｍ、２４ｍｍの各テープ幅に対応して、ドット数が各々設定されている。なお、パッチ用ロールテープ８１のテープ幅は、テープホルダ３のシート判別部６０が、テーププリンタ１のシート識別センサＳＳ１〜ＳＳ５に検出されることによって認識される。そして、このテープ幅に対応するドット数に基づいて、パッチテープ４０１〜４０７の各種マーク位置が決定する。
【００８３】
種別データテーブル３４２１について説明する。図２１に示すように、種別データテーブル３４２１には、パッチテープ４０１〜４０７の種類に応じて、距離ａ、距離ｂ、マークタイプが０か１か、文字印刷ができるかできないかが各々設定されている。距離ａ、距離ｂはドット数が設定されている。マークタイプは、パンチ穴位置マーク４２ａ、中間マーク４１、合わせ端部指示マーク４３の配置と向きを決定するものである。このマークタイプには０と１がある。なお、図２１に示す種別データテーブル３４２１では、Ａ４サイズのデータとＢ５サイズのデータとが図示されているが、Ａ５、Ｂ４サイズ等についても同様のデータが設定されている。
【００８４】
なお、後述するが、文字が印刷されるパッチテープ４０１〜４０７の場合、マークタイプ０は、中間マーク４１、合わせ端部指示マーク４３を上側−上向き（右斜め上向き）に、パンチ穴位置マーク４２ａを下側に設定する。一方、文字が印刷されないパッチテープ４０１〜４０７の場合、マークタイプ０は、中間マーク４１、合わせ端部指示マーク４３を下側−下向き（左斜め下向き）に、パンチ穴位置マーク４２ａを上側に設定する。文字が印刷される場合とされない場合とでマークの配置が異なるのは、文字印刷の有無によってパッチテープ４０１〜４０７の印刷方向が反対になるからである。なお、パッチテープ４０１〜４０７の印刷方向については後述する。文字印刷ができるかできないかは、下合わせのパッチテープには文字印刷はできないことを設定するものである。
【００８５】
距離／ドット数テーブル３４３１について説明する。図２２に示すように、距離／ドット数テーブル３４３１には、記録用紙Ｐ１に使用するパッチテープ４０１〜４０７における距離ｃ、距離ｄ、距離ｅ、距離ｈ、距離ｊがドット数で設定されている。なお、距離ｃ、距離ｄ、距離ｅ、距離ｈ、距離ｊは、記録用紙Ｐ１の種類に関わらず共通である。
【００８６】
文字／ドット数テーブル３４４１について説明する。図２３に示すように、文字／ドット数テーブル３４４１には、ユーザによる文字入力が有る場合と、無い場合とで距離ｉがドット数で設定されている。
【００８７】
タブ／ドット数テーブル３４５１について説明する。図２４に示すように、タブ／ドット数テーブル３４５１には、折返しタブ片４６の無いタブ無しの場合と、タブ有りの場合とで、距離ｆ、距離ｇがドット数で設定されている。なお、距離ｆと距離ｇは通常同じ値に設定されるが、距離ｇを距離ｆより長く設定してもよい。
【００８８】
次に、テーププリンタ１におけるパッチテープの印刷方向について説明する。テーププリンタ１では、文字印刷の無いタイプのパッチテープ（例えば、図７，図８参照）については、余白の多い側を先に印刷し、パンチ穴位置マーク４２ａ，４２ａ、中間マーク４１を後に印刷する。一方、文字印刷の有るタイプのパッチテープ（例えば、図９〜図１２参照）については、文字印刷する側を後に、その反対側を先にして印刷を行う。また、文字印刷の無いタイプのパッチテープ（例えば、図７，図８参照）では、余白の多い側を先に印刷し、したがって、文字印刷の有るタイプと文字印刷の無いタイプとでは、パッチテープの印刷方向が互いに逆向きになっている。
【００８９】
次に、パッチテープ作成時におけるサーマルヘッド３１の印刷範囲について説明する。図２５は、パッチテープ４３０の印刷範囲を示す説明図であり、図２６は、パッチテープ４２０の印刷範囲を示す説明図である。図１５に示すように、テーププリンタ１では、サーマルヘッド３１とカッタ８との間が離間している。このため、印刷開始時にサーマルヘッド３１とカッタ８との間に位置するパッチテープの部分に対して、サーマルヘッド３１で印字をすることができない。そこで、パッチテープ一枚分の印刷範囲の末尾に、次回の印刷範囲の距離ｊに相当する先頭部分までを印刷するように、サーマルヘッド３１の印字範囲を制御する。これより、従来は切り捨てられていた部分を有効に活用することができる。
【００９０】
例えば、図２５に示すように、文字印刷の無いタイプのパッチテープ４３０は、余白の多い側から先に印刷が行われる。そして、１枚目のパッチテープ４３０の印刷の後に、そのまま２枚目のパッチテープ４３０の先頭部分、つまり、カッタ８によるカット位置と、サーマルヘッド３１による印刷開始位置との間の範囲（距離ｊに相当）の印刷が行われる。これにより、１枚目のパッチテープ４３０がカット位置でカットされても、カット位置と印刷開始位置との間の部分の印刷は、前回の印刷で既に終わっているので、次の２枚目の残りの印刷範囲と合わせることによって、その部分を切り捨てることなく有効に活用できる。また、２枚目の残りの印刷の後にも同様に、次の３枚目のパッチテープ４３０の印刷開始位置までの印刷が行われる。これにより、次の３枚目の残りの印刷範囲と合わせることによって、その部分を切り捨てることなく有効に活用できる。また、このタイプのパッチテープの場合、カット位置と印刷開始位置との間には何も印刷されないので、上記の方法を採っても不具合を生じることはない。
【００９１】
また、図２６に示すように、文字印刷の有るタイプのパッチテープ４２０は、「○○太郎」の文字を後にし、その反対側のパンチ穴位置マーク４２ａを先にして印刷を行う。このタイプのパッチテープの場合、カット位置と印刷開始位置との間には、パンチ穴位置マーク４２ａが印刷されるが、パンチ穴位置マーク４２ａは、どのパッチテープ４２０においても共通形状のマークであるので、前もって印刷しておくことができる。つまり、１枚目のパッチテープ４２０の印刷の後に、そのまま２枚目のパッチテープ４２０の先頭部分、つまり、カッタ８によるカット位置と、サーマルヘッド３１による印刷開始位置との間の範囲（距離ｊに相当）の印刷が行われる。これにより、１枚目のパッチテープ４２０がカット位置でカットされても、カット位置と印刷開始位置との間の部分の印刷は、前回の印刷で既に終わっているので、次の２枚目の残りの印刷範囲と合わせることによって、その部分を切り捨てることなく有効に活用できる。また、２枚目の残りの印刷の後にも同様に、次の３枚目のパッチテープ４２０の印刷開始位置までの印刷が行われる。これにより、次の３枚目の残りの印刷範囲と合わせることによって、その部分を切り捨てることなく有効に活用できる。
【００９２】
次に、上記のように構成されたテーププリンタ１の動作について、図２７乃至図４１のフローチャートを参照して説明する。図２７は、ＣＰＵ１１による印刷制御のメインフローチャートであり、図２８は、パッチテープ作成処理のフローチャートであり、図２９は、タブ有無入力処理のフローチャートであり、図３０は、文字入力処理のフローチャートであり、図３１は、テープ装着メッセージ処理のフローチャートであり、図３２は、印刷開始メッセージ処理のフローチャートであり、図３３は、印刷データ作成処理のフローチャートであり、図３４は、指示マーク配置処理のフローチャートであり、図３５は、中間マーク配置処理のフローチャートであり、図３６は、パンチ穴位置マーク配置処理のフローチャートであり、図３７は、基準線、折返し線配置処理のフローチャートであり、図３８は、ユーザ文字配置処理のフローチャートであり、図３９は、印刷処理のフローチャートであり、図４０は、切捨印刷処理のフローチャートであり、図４１は、有効印刷処理のフローチャートである。また、図４２は、パッチテープの印刷開始位置とカット位置を示す説明図（文字印刷無し）であり、図４３は、パッチテープの印刷開始位置とカット位置を示す説明図（文字印刷有り：２回目以降）である。なお、本実施例では、パッチテープを作成するための動作について説明する。また、テーププリンタ１の動作は、ＣＰＵ１１によって制御されるものであり、図２７乃至図４１に示すフローチャートは、全てＣＰＵ１１によって実行されるものである。
【００９３】
図２７に示すように、まず、各種フラグ、各種データを初期化する（Ｓ１）。ここでは、例えば、共通パターン印刷済みフラグをオフし、設定変更フラグをオンする。なお、共通パターン印刷フラグは、一枚目のパッチテープを印刷した後に、引き続き２枚目の印刷データの先頭部分を印刷した場合にオンされ、印刷しない場合はオフされるフラグである。また、設定変更フラグは、最初の１枚目を印刷する場合にオンされ、パッチテープの設定を変更せずに、２枚目以降を印刷する場合にオフされるフラグである。
【００９４】
次いで、テーププリンタ１のＬＣＤ５８にメニュー選択画面を表示する（Ｓ２）。このメニュー選択画面には、例えば、「時刻ラベル作成」、「パッチテープ作成」等の各項目が表示され、現在選択されている項目は黒白反転表示される。次いで、矢印キー５９３，５９４、ＯＫキー５９２の何れかが押されたか否かを判断する（Ｓ３、Ｓ４）。そして、ユーザはこの選択画面から「パッチテープ作成」の項目を選択するために矢印キー５９３，５９４を押下する。矢印キー５９３，５９４が押下された場合は（Ｓ３：ＹＥＳ）、Ｓ２に戻って、その矢印キー５９３，５９４が押された方向の次の項目を黒白反転表示に切り替える。また、矢印キー５９３，５９４、ＯＫキー５９２の何れも押されない場合（Ｓ３：ＮＯ、Ｓ４：ＮＯ）、Ｓ３に戻って、これらのキー入力を監視する。
【００９５】
そして、ユーザによって「パッチテープ作成」の項目が選択され、ＯＫキー５９２が押下された場合（Ｓ４：ＹＥＳ）、パッチテープ作成処理を実行する（Ｓ５）。そして、そのパッチテープ作成処理が終了したら、Ｓ２に戻って処理を繰り返す。
【００９６】
次に、パッチテープ作成処理について説明する。図２８に示すように、ＬＣＤ５８に表示された「パッチテープ作成」の項目が選択されると、ＬＣＤ５８にサイズ選択画面を表示する（Ｓ８）。このサイズ選択画面では、記録用紙Ｐ１のサイズに応じて、上記説明したタイプのパッチテープが種々表示され、例えば、「Ａ４全」、「Ａ４上付き」、「Ａ４下付き」等のように表示される。なお、現在選択されている項目は、黒白反転表示される。
【００９７】
次いで、矢印キー５９３，５９４、ＯＫキー５９２、ＥＳＣキー５９５の何れかが押されたか否かを判断する（Ｓ９、Ｓ１０、Ｓ１１）。そして、ユーザはこのサイズ選択画面から所望のパッチテープの種類を選択するために矢印キー５９３，５９４を押下する。矢印キー５９３，５９４が押下された場合は（Ｓ９：ＹＥＳ）、Ｓ８に戻って、その矢印キー５９３，５９４が押された方向の次の項目を黒白反転表示に切り替える。なお、ＥＳＣキー５９５が押された場合は（Ｓ９：ＮＯ、Ｓ１０：ＮＯ、Ｓ１１：ＹＥＳ）、Ｓ２のメニュー選択画面に戻る。また、矢印キー５９３，５９４、ＯＫキー５９２、ＥＳＣキー５９５が何れも押されない場合（Ｓ９：ＮＯ、Ｓ１０：ＮＯ、Ｓ１１：ＮＯ）、Ｓ９に戻って、これらのキー入力を引き続き監視する。そして、ＯＫキー５９２が押下された場合（Ｓ１０：ＹＥＳ）、タブ有無入力処理を実行する（Ｓ１３）。
【００９８】
次に、タブ有無入力処理について説明する。図２９に示すように、ＬＣＤ５８にタブ選択画面を表示する（Ｓ１６）。このタブ選択画面では、例えば、「タブあり」、「タブなし」の項目が表示される。つまり、折返しタブ片４６が付設されたタブ付きテープを作成するか否かを選択できる。なお、現在選択されている項目は、黒白反転表示される。次いで、矢印キー５９３，５９４、ＯＫキー５９２、ＥＳＣキー５９５の何れかが押されたかを判断する（Ｓ１７、Ｓ１８、Ｓ１９）。そして、ユーザはタブの有無を決定するために矢印キー５９３，５９４を押下する。矢印キー５９３，５９４が押下された場合（Ｓ１７：ＹＥＳ）、Ｓ１６に戻って、他方の項目を黒白反転表示に切り替える。
【００９９】
また、ＥＳＣキー５９５が押された場合は（Ｓ１７：ＮＯ、Ｓ１８：ＮＯ、Ｓ１９：ＹＥＳ）、戻るフラグをオンし（Ｓ２０）、図２８のＳ１４に移行する。戻るフラグがオンされたので（Ｓ１４：ＹＥＳ）、Ｓ８のサイズ選択画面に戻る。また、矢印キー５９３，５９４、ＯＫキー５９２、ＥＳＣキー５９５が何れも押されない場合（Ｓ１７：ＮＯ、Ｓ１８：ＮＯ、Ｓ１９：ＮＯ）、Ｓ１７に戻って、これらのキー入力を引き続き監視する。そして、タブ有りが選択されて、ＯＫキー５９２が押下された場合は（Ｓ１８：ＹＥＳ）、ＲＡＭ３４の各種フラグ記憶領域３４６に記憶されたタブ作成フラグをオンする。また、タブ無しが選択されて、ＯＫキー５９２が押下された場合は（Ｓ１８：ＹＥＳ）、ＲＡＭ３４の各種フラグ記憶領域３４６に記憶されたタブ作成フラグをオフする。そして、文字入力処理を実行する（Ｓ２１）。
【０１００】
次に、ユーザ文字入力処理について説明する。図３０に示すように、まず、ＬＣＤ５８に表題文字入力画面を表示する（Ｓ２４）。この表題文字入力画面では、５０音順に文字キーが表示され、ユーザが矢印キー５９３，５９４を押下することによって、所望の文字キーを選択できる。なお、現在選択されている文字キーは黒白反転表示される。次いで、矢印キー５９３，５９４、文字キー、ＯＫキー５９２、ＥＳＣキー５９５の何れかが押されたか否かを判断する（Ｓ２５、Ｓ２６、Ｓ２７、Ｓ２８）。矢印キー５９３，５９４が押下された場合は（Ｓ２５：ＹＥＳ）、Ｓ２４に戻って、選択された文字を黒白反転表示に切り替える。
【０１０１】
また、ＥＳＣキー５９５が押された場合は（Ｓ２５：ＮＯ、Ｓ２６：ＮＯ、Ｓ２７：ＮＯ、Ｓ２８：ＹＥＳ）、戻るフラグをオンし（Ｓ２９）、図２９のＳ２２に移行する。戻るフラグがオンされたので（Ｓ２２：ＹＥＳ）、Ｓ１６のタブ選択画面に戻る。また、矢印キー５９３，５９４、文字キー、ＯＫキー５９２、ＥＳＣキー５９５が何れも押されない場合（Ｓ２５：ＮＯ、Ｓ２６：ＮＯ、Ｓ２７：ＮＯ、Ｓ２８：ＮＯ）、Ｓ２５に戻って、これらのキー入力を引き続き監視する。
【０１０２】
そして、ＯＫキー５９２が押下された場合（Ｓ２７：ＹＥＳ）、表題文字入力画面に表示された文字をＲＡＭ３４のユーザ文字記憶領域３４８に記憶するとともに、パッチ用ロールテープ８１がテープホルダ収納部４に装着されているか否かを判断する（Ｓ３０）。テープホルダ３がまだ装着されていない場合（Ｓ３０：ＮＯ）、テープ装着メッセージ処理を実行する（Ｓ３２）。また、パッチ用ロールテープ８１が装着されている場合（Ｓ３０：ＹＥＳ）、印刷開始メッセージ処理を実行する（Ｓ３１）。なお、ユーザ文字入力処理において、頻繁に使う単語等は文字を入力する代わりに、複数の候補をＲＡＭ３４等に記憶させておき、それら候補の中から選択するようにしてもよい。また、文字を入力せずにＯＫキー５９２を押すことによって、文字のない折返しタブ片４６を作成することもできる。
【０１０３】
次に、テープ装着メッセージ処理について説明する。図３１に示すように、ＬＣＤ５８にテープ装着メッセージを表示する（Ｓ３５）。例えば、「テープを装着して下さい。」等のメッセージを表示する。次いで、ＯＫキー５９２、ＥＳＣキー５９５の何れかが押されたか否かを判断する（Ｓ３６、Ｓ３７）。なお、ＥＳＣキー５９５が押された場合は（Ｓ３６：ＮＯ、Ｓ３７：ＹＥＳ）、戻るフラグをオンし（Ｓ３８）、図３０のＳ３３に移行する。戻るフラグがオンされたので（Ｓ３３：ＹＥＳ）、Ｓ２４の表題文字入力画面を再度表示する。また、ＯＫキー５９２、ＥＳＣキー５９５が何れも押されない場合（Ｓ３６：ＮＯ、Ｓ３７：ＮＯ）、Ｓ３６に戻って、これらのキー入力を引き続き監視する。
【０１０４】
そして、ＯＫキー５９２が押下された場合（Ｓ３６：ＹＥＳ）、パッチ用ロールテープ８１が装着されているか否かを再度判断する（Ｓ３９）。パッチ用ロールテープ８１がまだ装着されていない場合（Ｓ３９：ＮＯ）、Ｓ３５に戻って、ＬＣＤ５８にテープ装着メッセージを再度表示する。パッチ用ロールテープ８１が装着されている場合は（Ｓ３９：ＹＥＳ）、印刷開始メッセージ処理を実行する（Ｓ４０）。
【０１０５】
次に、印刷開始メッセージ処理について説明する。図３２に示すように、ＬＣＤ５８に印刷開始メッセージを表示する（Ｓ４３）。例えば、「パッチテープの印刷を開始します。」等のメッセージを表示する。次いで、ＯＫキー５９２、ＥＳＣキー５９５の何れかが押されたかを判断する（Ｓ４４、Ｓ４５）。なお、ＥＳＣキー５９５が押された場合は（Ｓ４４：ＮＯ、Ｓ４５：ＹＥＳ）、戻るフラグをオンし（Ｓ４６）、図３１のＳ４１に移行する。戻るフラグがオンされたので（Ｓ４１：ＹＥＳ）、Ｓ３５に戻って、テープ装着メッセージ文字を再度表示する。また、ＯＫキー５９２、ＥＳＣキー５９５が何れも押されない場合は（Ｓ４４：ＮＯ、Ｓ４５：ＮＯ）、Ｓ４４に戻って、これらのキー入力を引き続き監視する。
【０１０６】
そして、ＯＫキー５９２が押下された場合（Ｓ４４：ＹＥＳ）、再度、パッチ用ロールテープ８１が装着されているか否かを判断する（Ｓ４７）。これは、テープホルダ収納部４からパッチ用ロールテープ８１が外されることがあるからである。ここで、パッチ用ロールテープ８１が装着されていない場合（Ｓ４７：ＮＯ）、テープ装着メッセージ処理を再度実行する（Ｓ５１）。さらに、戻るフラグがオンか否かを判断する（Ｓ５２）。戻るフラグがオンの場合（Ｓ５２：ＹＥＳ）、Ｓ４３に戻って、ＬＣＤ５８に印刷開始メッセージを表示する。一方、戻るフラグがオフの場合（Ｓ５２：ＮＯ）、図３１のＳ４１に戻る。戻るフラグがオフされているので（Ｓ４１：ＮＯ）、Ｓ３３に戻り（Ｓ３３：ＮＯ）、Ｓ２２に戻り（Ｓ２２：ＮＯ）、Ｓ１４に移行し（Ｓ１４：ＮＯ）、Ｓ２の選択画面に戻る。
【０１０７】
一方、パッチ用ロールテープ８１がそのまま装着されている場合（Ｓ４７：ＹＥＳ）、パッチテープの表面に印刷する各種マーク等（具体的には、パンチ穴位置マーク４２ａ，４２ａ、中間マーク４１、合わせ端部指示マーク４３、基準線４８、折返し線４９）の位置を決定して印刷データを作成するために、印刷データ作成処理を実行する（Ｓ４８）。そして、印刷データ作成処理で作成した印刷データを元に、サーマルヘッド３１による印刷処理を実行する（Ｓ４９）。印刷処理を終了したら、戻るフラグをオフし（Ｓ５０）、図３１のＳ４１に移行する。戻るフラグがオフされたので（Ｓ４１：ＮＯ）、Ｓ３３に戻り（Ｓ３３：ＮＯ）、Ｓ２２に戻り（Ｓ２２：ＮＯ）、Ｓ１４に戻り（Ｓ１４：ＮＯ）、Ｓ２の選択画面に戻る。
【０１０８】
次に、印刷データ作成処理について説明する。図３３に示すように、はじめに、ＲＡＭ３４の印刷データ記憶領域３４７に記憶されたパッチテープの印刷データをクリアする（Ｓ５４）。そして、この印刷データ記憶領域３４７において、合わせ端部指示マーク４３、中間マーク４１、パンチ穴位置マーク４２ａ、基準線４８、折返し線４９の各位置をドット数で順に決定して展開することによって、パッチテープの印刷データを作成する。また、パッチ用ロールテープ８１のテープ幅（ｔｗ）は、テープホルダ３のシート判別部６０がシート識別センサＳＳ１〜ＳＳ５に検出されることによって認識されるとともに、ＲＡＭ３４に記憶された幅／ドット数テーブル３４１１を参照することによって、その認識されたテープ幅に応じたドット数が設定される。
【０１０９】
まず、合わせ端部指示マーク配置処理を実行する（Ｓ５５）。この処理では、合わせ端部指示マーク４３の印刷データの位置を決定する。次いで、中間マーク配置処理を実行する（Ｓ５６）。この処理では、中間マーク４１の印刷データの位置を決定する。次いで、パンチ穴位置マーク配置処理を実行する（Ｓ５７）。この処理では、パンチ穴位置マーク４２ａ，４２ａの印刷データの位置を決定する。次いで、基準線、折返し線配置処理を実行する（Ｓ５８）。この処理では、基準線４８、折返し線４９の印刷データの位置を決定する。次いで、ユーザ文字配置処理を実行する（Ｓ５９）。この処理では、ユーザによって入力された単語等の印刷データの位置を決定する。
【０１１０】
こうして各マークが配置されたパッチテープの印刷データが作成される。次いで、ＲＡＭ３４の印刷データ記憶領域３４７に展開されたパッチテープの印刷データにおいて、その先頭位置からサーマルヘッド３１とカッタ８との間に相当する距離ｊの間の印刷データに変化があるか否かを判断する（Ｓ６０）。ここで、印刷データに変化がある場合は（Ｓ６０：ＹＥＳ）、設定変更フラグをオンする（Ｓ６１）。そして、図３２のＳ４９に移行し、その印刷データ領域に展開されたパッチテープの印刷データに従って、サーマルヘッド３１による印刷処理を実行する。なお、印刷データに変化がない場合は（Ｓ６０：ＮＯ）、設定変更フラグはそのままの状態で、図３２のＳ４９に移行し、その印刷データ領域に展開されたパッチテープの印刷データに従って、サーマルヘッド３１による印刷処理を実行する。
【０１１１】
次に、印刷データ作成処理を構成する各処理について順に説明する。はじめに、合わせ端部指示マーク配置処理について説明する。図３４に示すように、文字印刷可能タイプか否かを判断する（Ｓ６１）。ここで、前述のサイズ選択画面（Ｓ８）で、Ａ４下付（裏貼り）のパッチテープが選択された場合、このパッチテープは、図７に示すパッチテープ４０２である。この場合、ＲＡＭ３４に記憶された種別データテーブル３４２１を参照すると、ユーザ文字が印刷されないタイプなので（Ｓ６１：ＮＯ）、ユーザ文字印刷の無いタイプのパッチテープの印刷データを作成する。この場合、上記したように、余白の多い側、即ち、縦方向合わせ端部Ｔ２側から先に印刷されるように、印刷データが展開される。次いで、マークタイプが０か１かを判断する（Ｓ６２）。種別データテーブル３４２１より、マークタイプが０であるので（Ｓ６２：ＹＥＳ）、合わせ端部指示マーク４３の矢印を下側−左下向き（図７参照）にする（Ｓ６５）。そして、その合わせ端部指示マーク４３の位置を決定するために、その合わせ端部指示マーク４３の矢印が示す綴じ側合わせ端部Ｔ１からの幅方向の距離Ｙを距離ｃに決定する（Ｓ６９）。
【０１１２】
一方、前述のサイズ選択画面（Ｓ８）で、Ａ４下付（表貼り）のパッチテープが選択された場合、このパッチテープは、図８に示すパッチテープ４０３である。この場合、ＲＡＭ３４に記憶された種別データテーブル３４２１を参照すると、マークタイプが１であるので（Ｓ６２：ＮＯ）、合わせ端部指示マーク４３の矢印を、上側−左上向き（図８参照）にする（Ｓ６４）。そして、その合わせ端部指示マーク４３の位置を決定するために、その合わせ端部指示マーク４３の矢印が示す綴じ側合わせ端部Ｔ１からの幅方向の距離Ｙを距離ｔｗ−ｃに決定する（Ｓ６８）。
【０１１３】
次いで、図７又は図８に示すように、合わせ端部指示マーク４３の位置（パッチテープの長手方向における位置、パッチテープの幅方向における位置）を、（距離ｊ＋距離ｉ，距離Ｙ）の位置に配置する。つまり、（距離ｊ＋距離ｉ，距離Ｙ）の位置に、合わせ端部指示マーク４３の矢印の先頭が配置されるように配置する（Ｓ７２）。さらに、その配置された合わせ端部指示マーク４３の右隣に、例えば、「この隅を合わせてお貼り下さい。」の説明文（図４２参照）の文字データを配置する（Ｓ７３）。そして、中間マーク配置処理に移行する。
【０１１４】
次に、文字印刷可能タイプの場合について説明する。ここで、前述のサイズ選択画面（Ｓ８）で、Ａ４上付（表貼り）であって、タブ有無入力処理で折返しタブ片４６が付いたタブ付きのパッチテープが選択された場合、このパッチテープは、例えば、図１１に示すパッチテープ４０６である。この場合、ＲＡＭ３４に記憶された種別データテーブル３４２１を参照すると、文字印刷可能タイプであるので（Ｓ６１：ＹＥＳ）、ユーザ文字印刷の有るタイプの印刷データを作成する。この場合、文字印刷する側を後に、その反対側を先にして印刷されるように、印刷データが展開される。次いで、マークタイプが０か１かを判断する（Ｓ６３）。種別データテーブル３４２１より、マークタイプが０であるので（Ｓ６３：ＹＥＳ）、合わせ端部指示マーク４３の矢印を上側−右上向き（図１１参照）にする（Ｓ６７）。そして、合わせ端部指示マーク４３の位置を決定するために、その合わせ端部指示マーク４３の矢印が示す綴じ側合わせ端部Ｔ１からの幅方向の距離Ｙを距離ｔｗ−ｃに決定する（Ｓ７１）。
【０１１５】
一方、前述のサイズ選択画面（Ｓ８）で、Ａ４上付（裏貼り）のパッチテープが選択された場合、このパッチテープは、図１２に示すパッチテープ４０７である。この場合、ＲＡＭ３４に記憶された種別データテーブル３４２１を参照すると、マークタイプが１であるので（Ｓ６３：ＮＯ）、合わせ端部指示マーク４３の矢印を下側−右下向き（図１２参照）にする（Ｓ６６）。そして、その合わせ端部指示マーク４３の位置を決定するために、その合わせ端部指示マーク４３の矢印が示す綴じ側合わせ端部Ｔ１からの幅方向の距離Ｙを距離ｃに決定する（Ｓ７０）。
【０１１６】
次いで、図１１又は図１２に示すように、合わせ端部指示マーク４３の位置（パッチテープの長手方向における位置、パッチテープの幅方向における位置）を、（距離ｂ−距離ｉ，距離Ｙ）の位置に配置する。つまり、（距離ｂ−距離ｉ，距離Ｙ）の位置に、合わせ端部指示マーク４３の矢印の先頭が配置されるように配置する（Ｓ７４）。さらに、その配置された合わせ端部指示マーク４３の左隣に、例えば、「この隅を合わせてお貼り下さい。」の説明文の文字データを配置する（Ｓ７５）。そして、中間マーク配置処理に移行する。
【０１１７】
次に、中間マーク配置処理について説明する。図３５に示すように、文字印刷可能タイプか否かを判断する（Ｓ７７）。ここで、前述のサイズ選択画面（Ｓ８）で、Ａ４下付（裏貼り）のパッチテープが選択された場合、このパッチテープは、図７に示すパッチテープ４０２である。この場合、ＲＡＭ３４に記憶された種別データテーブル３４２１を参照すると、文字印刷されないタイプなので（Ｓ７７：ＮＯ）、ユーザ文字印刷の無いタイプのパッチテープの印刷データを作成する。次いで、マークタイプが０か１かを判断する（Ｓ７８）。種別データテーブル３４２１より、マークタイプが０であるので（Ｓ７８：ＹＥＳ）、中間マーク４１を下側−下向き（図７参照「▽」）にする（Ｓ８１）。そして、中間マーク４１の位置を決定するために、その中間マーク４１の矢印が示す綴じ側合わせ端部Ｔ１からの幅方向の距離Ｙを距離ｃに決定する（Ｓ８５）。
【０１１８】
一方、前述のサイズ選択画面（Ｓ８）で、Ａ４下付（表貼り）のパッチテープが選択された場合、このパッチテープは、図８に示すパッチテープ４０３である。この場合、ＲＡＭ３４に記憶された種別データテーブル３４２１を参照すると、マークタイプが１であるので（Ｓ７８：ＮＯ）、中間マーク４１を上側−上向き（図８参照「△」）にする（Ｓ８０）。そして、中間マーク４１の位置を決定するために、その中間マーク４１の矢印が示す綴じ側合わせ端部Ｔ１からの幅方向の距離Ｙを距離ｔｗ−ｃに決定する（Ｓ８４）。
【０１１９】
次いで、図７又は図８に示すように、中間マーク４１の位置（パッチテープの長手方向における位置、パッチテープの幅方向における位置）を、（距離ａ，距離Ｙ）の位置に配置する。つまり、（距離ａ，距離Ｙ）の位置に、中間マーク４１の中央が配置されるように配置する（Ｓ８８）。そして、パンチ穴位置マーク配置処理に移行する（Ｓ５７）。
【０１２０】
次に、文字印刷可能タイプの場合について説明する。ここで、前述のサイズ選択画面（Ｓ８）で、Ａ４上付（表貼り）であって、タブ有無入力処理で折返しタブ片４６が付いたタブ付きのパッチテープが選択された場合、このパッチテープは、図１１に示すパッチテープ４０６である。この場合、ＲＡＭ３４に記憶された種別データテーブル３４２１を参照すると、文字印刷可能なので（Ｓ７７：ＹＥＳ）、ユーザ文字印刷の有るタイプの印刷データを作成する。次いで、マークタイプが０か１かを判断する（Ｓ７９）。種別データテーブル３４２１より、マークタイプが０であるので（Ｓ７９：ＹＥＳ）、中間マーク４１を上側−上向き（図１１参照「△」）にする（Ｓ８３）。そして、中間マーク４１の位置を決定するために、その中間マーク４１が示す綴じ側合わせ端部Ｔ１からの幅方向の距離Ｙを距離ｔｗ−ｃに決定する（Ｓ８７）。
【０１２１】
一方、前述のサイズ選択画面（Ｓ８）で、Ａ４上付（裏貼り）のパッチテープが選択された場合、このパッチテープは、例えば、図１２に示すパッチテープ４０７である。この場合、ＲＡＭ３４に記憶された種別データテーブル３４２１を参照すると、マークタイプが１であるので（Ｓ７９：ＮＯ）、中間マーク４１を下側−下向き（図１２参照「▽」）にする（Ｓ８２）。そして、中間マーク４１の位置を決定するために、その中間マーク４１が示す綴じ側合わせ端部Ｔ１からの幅方向の距離Ｙを距離ｃに決定する（Ｓ８６）。
【０１２２】
次いで、図１１又は図１２に示すように、合わせ端部指示マーク４３の位置（パッチテープの長手方向における位置、パッチテープの幅方向における位置）を、（距離ｂ−距離ａ，距離Ｙ）の位置に配置する。つまり、（距離ｂ−距離ａ，距離Ｙ）の位置に、中間マーク４１の中央が配置されるように、中間マーク４１を配置する（Ｓ８９）。そして、パンチ穴位置マーク配置処理に移行する。
【０１２３】
次に、パンチ穴位置マーク配置処理について説明する。図３６に示すように、文字印刷可能タイプか否かを判断する（Ｓ９２）。ここで、前述のサイズ選択画面（Ｓ８）で、Ａ４下付（裏貼り）のパッチテープが選択された場合、このパッチテープは、図７に示すパッチテープ４０２である。この場合、ＲＡＭ３４に記憶された種別データテーブル３４２１を参照すると、文字印刷しないタイプなので（Ｓ９２：ＮＯ）、ユーザ文字印刷の無いタイプのパッチテープの印刷データを作成する。次いで、マークタイプが０か１かを判断する（Ｓ９３）。種別データテーブル３４２１より、マークタイプが０であるので（Ｓ９３：ＹＥＳ）、パンチ穴位置マーク４２ａ，４２ａを上側（図７参照）にする（Ｓ９６）。そして、パンチ穴位置マーク４２ａ，４２ａの位置を決定するために、そのパンチ穴位置マーク４２ａ，４２ａに近い綴じ側合わせ端部Ｔ１からの幅方向の距離Ｙを距離ｄに決定する（Ｓ１００）。
【０１２４】
一方、ＬＣＤ５８に表示されたサイズ選択画面で、Ａ４下付（表貼り）のパッチテープが選択された場合、このパッチテープは、図８に示すパッチテープ４０３である。この場合、ＲＡＭ３４に記憶された種別データテーブル３４２１を参照すると、マークタイプが１であるので（Ｓ９３：ＮＯ）、パンチ穴位置マーク４２ａを下側（図７参照）に配置する（Ｓ９５）。そして、パンチ穴位置マーク４２ａ，４２ａの位置を決定するために、そのパンチ穴位置マーク４２ａ，４２ａに近い綴じ側合わせ端部Ｔ１からの幅方向の距離Ｙを距離ｔｗ−ｄに決定する（Ｓ９９）。
【０１２５】
次いで、図７又は図８に示すように、パンチ穴位置マーク４２ａ，４２ａの各位置（パッチテープの長手方向における位置、パッチテープの幅方向における位置）を、（距離ａ＋距離ｅ，距離Ｙ）、（距離ａ−距離ｅ，距離Ｙ）の各位置に配置する。つまり、（距離ａ＋距離ｅ，距離Ｙ）、（距離ａ−距離ｅ，距離Ｙ）の各位置に、パンチ穴位置マーク４２ａ，４２ａの「○」の中央がそれぞれ配置されるように配置する（Ｓ１０３）。そして、基準線、折返し線配置処理に移行する（Ｓ５８）。
【０１２６】
次に、文字印刷可能タイプの場合について説明する。ここで、前述のサイズ選択画面（Ｓ８）で、Ａ４上付（表貼り）であって、タブ有無入力処理で折返しタブ片４６が付いたタブ付きのパッチテープが選択された場合、このパッチテープは、図１１に示すパッチテープ４０６である。この場合、ＲＡＭ３４に記憶された種別データテーブル３４２１を参照すると、文字印刷可能なので（Ｓ９２：ＹＥＳ）、ユーザ文字印刷の有るタイプの印刷データを作成する。次いで、マークタイプが０か１かを判断する（Ｓ９４）。種別データテーブル３４２１より、マークタイプが０であるので（Ｓ９４：ＹＥＳ）、パンチ穴位置マーク４２ａ，４２ａを下側（図１１参照）に配置する（Ｓ９８）。そして、パンチ穴位置マーク４２ａ，４２ａの位置を決定するために、そのパンチ穴位置マーク４２ａ，４２ａに近い綴じ側合わせ端部Ｔ１からの幅方向の距離Ｙを距離ｔｗ−ｄに決定する（Ｓ１０２）。
【０１２７】
一方、前述のサイズ選択画面上（Ｓ８）で選択されたパッチテープが、Ａ４上付（裏貼り）であって、タブ有無入力処理でタブ有りが選択された場合は、図１２に示すパッチテープ４０７に相当する。この場合、ＲＡＭ３４に記憶された種別データテーブル３４２１を参照すると、マークタイプが１であるので（Ｓ９４：ＮＯ）、パンチ穴位置マーク４２ａ，４２ａを上側（図１２参照）にする（Ｓ９７）。そして、パンチ穴位置マーク４２ａ，４２ａの位置を決定するために、そのパンチ穴位置マーク４２ａ，４２ａに近い綴じ側合わせ端部Ｔ１からの幅方向の距離Ｙを距離ｄに決定する（Ｓ１０１）。
【０１２８】
次いで、図１１又は図１２に示すように、パンチ穴位置マーク４２ａ，４２ａの各位置（パッチテープの長手方向における位置、パッチテープの幅方向における位置）を、（距離ｂ−距離ａ＋距離ｅ，距離Ｙ）、（距離ｂ−距離ａ−距離ｅ，距離Ｙ）の各位置に配置する。つまり、（距離ｂ−距離ａ＋距離ｅ，距離Ｙ）、（距離ｂ−距離ａ−距離ｅ，距離Ｙ）の各位置に、パンチ穴位置マーク４２ａ，４２ａの「○」の中央がそれぞれ配置されるように配置する（Ｓ１０４）。そして、基準線、折返し線配置処理に移行する（Ｓ５８）。
【０１２９】
次に、基準線、折返し線配置処理について説明する。図３７に示すように、文字印刷可能タイプか否かを判断する。（Ｓ１０６）。文字印刷可能でないタイプの場合（Ｓ１０６：ＮＯ）、文字印刷の無いタイプのパッチテープであるので、基準線４８、折返し線４９を印刷する必要はない。よって、図３３に示すＳ５９のユーザ文字配置処理に移行する。
【０１３０】
一方、文字印刷可能タイプの場合（Ｓ１０６：ＹＥＳ）、文字印刷の有るタイプのパッチテープである。そこで、折返しタブ片４６が付いたタブ付きテープが選択されているか否かを判断する（Ｓ１０７）。ここで、先に実行したタブ有無入力処理において、タブ付きが選択されている場合には（Ｓ１０７：ＹＥＳ）、ＲＡＭ３４の各種フラグ記憶領域３４６にタブ作成フラグに１が設定されているので、図１２に示すように、距離ｂの位置に基準線４８の印刷データをパッチテープの幅方向に配置し、距離ｂ＋距離ｆの位置に折返し線４９の印刷データをパッチテープの幅方向に配置する（Ｓ１０８）。また、タブ有無入力処理においてタブ付きが選択されていない場合には（Ｓ１０７：ＮＯ）、基準線４８、折返し線４９を配置する必要がない。よって、リターンして、図３３に示すＳ５９のユーザ文字配置処理に移行する。
【０１３１】
次に、ユーザ文字配置処理について説明する。図３８に示すように、文字印刷可能タイプか否かを判断する（Ｓ１１０）。文字が記憶されていない場合（Ｓ１１０：ＮＯ）、文字を印刷する必要はない。よって、リターンして、図３２に示すＳ４９の印刷処理を実行する。
【０１３２】
一方、文字印刷可能タイプの場合（Ｓ１１０：ＹＥＳ）、文字印刷の有るタイプのパッチテープである。そこで、折返しタブ片４６が付いたタブ付きテープが選択されているか否かを判断する（Ｓ１１１）。ここで、先に実行したタブ有無入力処理において、タブ付きが選択されている場合には（Ｓ１１１：ＹＥＳ）、ＲＡＭ３４の各種フラグ記憶領域３４６にタブ指定フラグがオンされているので、図１２に示すように、第１面４６ａに相当する距離ｂの位置と、第２面４６ｂに相当する（距離ｂ＋距離ｆ）の位置とにそれぞれ入力された文字（単語）等を配置する（Ｓ１１２）。
【０１３３】
このとき、第１面６４ａと第２面６４ｂとに同一の単語を印刷する場合（例えば、「○○太郎」）、第１面６４ａに印刷される単語と第２面６４ｂに印刷される単語とを、基準線４８を介して互いに文字の向きが左右対称になるように配置する。さらに、第１面６４ａに印刷される単語と、第２面６４ｂに印刷される単語とが、折返しタブ片４６を折返して接着した時の折返しタブ片４６の高さ方向にずれるように配置する（図４３，図４４参照）これにより、例えば、パッチテープを透明の基材で作成した場合に、第１面６４ａに印刷された単語と、第２面６４ｂに印刷された単語とが重複して見えにくくなることを防止できる。また、タブ有無入力処理においてタブ付きが選択されていない場合には（Ｓ１１１：ＮＯ）、折返しタブ片４６がないテープであるので、距離ｂ−ｈの位置に入力された文字（単語）等を配置する（Ｓ１１３）。そして、図３９に示す印刷処理に移行する。
【０１３４】
なお、上記の印刷データ作成処理（図３３参照）では、シート識別センサＳＳ１〜ＳＳ５において検出されたテープ幅、サイズ選択画面におけるパッチテープの種類、タブ有無入力処理におけるタブの有無、ユーザ文字入力処理におけるユーザ文字の有無を元に、パッチテープの印刷データが作成される。印刷データは、距離ａ〜距離ｊを用いることによって決定されるが、距離ａ〜距離ｊは、ＲＡＭ３４に記憶された幅／ドット数テーブル３４１１、種別データテーブル３４２１、距離／ドット数テーブル３４３１、文字／ドット数テーブル３４４１、タブ／ドット数テーブル３４５１を参照することによってドット数で設定される。
【０１３５】
次に、印刷処理について説明する。図３９に示すように、ＲＡＭ３４の印刷データ記憶領域３４７に展開されたパッチテープの印刷データにおいて、その先頭位置からサーマルヘッド３１とカッタ８との間に相当する距離ｊの間に、印刷データがあるか否かを判断する（Ｓ１１５）。そして、その先頭部分に印刷データが無い場合（Ｓ１１５：ＮＯ）、続いて、共通パターン印刷済みフラグがオフか否かを判断する（Ｓ１１６）。
【０１３６】
そして、共通パターン印刷済みフラグがオフの場合（Ｓ１１６：ＹＥＳ）、パッチ用ロールテープ８１の先頭部分には、前回の印刷と共通のマーク（例えば、パンチ穴位置マーク４２ａ）は印刷されていない。さらに、設定変更フラグがオンか否かを判断する（Ｓ１１７）。ここで、設定変更フラグがオンされている場合は（Ｓ１１７：ＹＥＳ）、パッチテープ作成の設定がされて最初の１枚目の印刷である。つまり、パッチ用ロールテープ８１の先頭には何も印刷されておらず、設定されて最初の印刷である。そこで、パッチ用ロールテープ８１の先頭部分を切り捨てた後で印刷を行う切捨印刷処理を実行する（Ｓ１１９）。一方、設定変更フラグがオフされている場合は（Ｓ１１７：ＮＯ）、設定変更されていないので、パッチ用ロールテープ８１の先頭部分を切り捨てずに印刷を行う有効印刷処理を実行する（Ｓ１２０）。
【０１３７】
また、共通パターン印刷済みフラグがオンの場合（Ｓ１１６：ＮＯ）、パッチ用ロールテープ８１の先頭部分には、前回の印刷と共通のマーク（例えば、パンチ穴位置マーク４２ａ）が印刷されている。しかしながら、ＲＡＭ３４の印刷データ記憶領域３４７に展開された印刷データの先頭部分にはマークのデータがない。よって、パッチ用ロールテープ８１の先頭部分を切り捨てた後で印刷を行う切捨印刷処理を実行する（Ｓ１１９）。
【０１３８】
ここで、切捨印刷処理について説明する。図４０に示すように、まず、印刷データの先頭から距離ｊ（サーマルヘッド３１とカッタ８間に相当する距離）だけ離れた位置までを、サーマルヘッド３１で印刷する。次いで、パッチ用ロールテープ８１をカットする旨をユーザに指示する（Ｓ１３１）。ここでは、例えば、ＬＣＤ５８に「テープをカットして下さい。」のメッセージを表示する。この表示を見たユーザは、カットレバー９を操作して、パッチ用ロールテープ８１をカットする。これにより、パッチ用ロールテープ８１の先頭部分がカットされる。引き続き、印刷データの最後までを印刷する（Ｓ１３２）。次いで、印刷データの最後まで印刷したら、引き続き、印刷データの先頭から距離ｊに相当する範囲までを印刷する（Ｓ１３３）。なお、印刷データの先頭から距離ｊに相当する範囲までには有効データが無く、実質はフィードと同じである。こうして、切捨印刷処理が終了する。
【０１３９】
次に、有効印刷処理について説明する。図４１，図４２に示すように、まず、ＲＡＭ３４の印刷データ記憶領域３４７に展開されたパッチテープの印刷データにおいて、データ転送開始位置を、印刷データの先頭から距離ｊ（サーマルヘッド３１とカッタ８間に相当する距離）だけ離れた位置に設定する（Ｓ１３５）。次いで、テープ送りローラを駆動して、パッチ用ロールテープ８１を搬送するとともに、そのデータ転送開始位置から印刷データの最後までをサーマルヘッド３１で印刷する（Ｓ１３６）。
【０１４０】
そして、印刷データの最後まで印刷したら、引き続き、印刷データの先頭から距離ｊに相当する範囲までを印刷する（Ｓ１３７）。つまり、次回のパッチテープの先頭部分の印刷を既に終えたことになる。なお、印刷データの先頭から距離ｊに相当する範囲までには有効データが無いので、実質はフィードと同じである。こうして、有効印刷処理が終了する。
【０１４１】
こうして、有効印刷処理（Ｓ１１８）、又は切捨印刷処理（Ｓ１１９）を実行したら、図３９に示すように、ＬＣＤ５８に「テープをカットして下さい。」のメッセージを表示し、テープをカットする旨をユーザに指示する（Ｓ１２０）。この表示を見たユーザが、カットレバー９を操作することによって、切断された１枚のパッチテープが供給される。さらに、共通パターン印刷済みフラグをオフし（Ｓ１２１）、設定変更フラグをオフする（Ｓ１２２）。そして、リターンして、図３２に示すＳ５０に移行し、戻るフラグをオフする。さらに、図３１に示すＳ４１に移行し、戻るフラグをオフしたので（Ｓ４１：ＮＯ、Ｓ３３：ＮＯ、Ｓ２２：ＮＯ、Ｓ１４：ＮＯ）、スタートメニューに戻る。
【０１４２】
次に、ＲＡＭ３４の印刷データ記憶領域３４７に展開された印刷データの先頭に、印刷データがある場合（Ｓ１１５：ＹＥＳ）について説明する。この場合は、続いて、共通パターン印刷済みフラグがオフか否かを判断する（Ｓ１２３）。ここで、共通パターン印刷済みフラグがオフの場合は（Ｓ１２３：ＹＥＳ）、パッチ用ロールテープ８１の先頭部分には何も印刷されていないので、そのまま印刷することはできない。よって、パッチ用ロールテープ８１の先頭部分を切り捨てた後で印刷を行う切捨印刷処理を実行する（Ｓ１２４）。
【０１４３】
一方、共通パターン印刷済みフラグがオンの場合は（Ｓ１２３：ＮＯ）、パッチ用ロールテープ８１の先頭部分には、共通のマーク（例えば、パンチ穴位置マーク４２ａ）が印刷されている。さらに、ＲＡＭ３４の印刷データ記憶領域３４７に展開された印刷データの先頭部分には、マークのデータがある。そこで、設定変更フラグがオンか否かを判断する（Ｓ１２５）。ここで、設定変更フラグがオンされている場合は（Ｓ１２５：ＹＥＳ）、最初の１枚目の印刷である。つまり、パッチ用ロールテープ８１の先頭には共通のマークが印刷されてはいても、設定が変更された後の最初の印刷である。この場合、パッチ用ロールテープ８１の先頭部分を切り捨てた後で印刷を行う切捨印刷処理を実行する（Ｓ１２４）。
【０１４４】
ここで実行される切捨印刷処理では、図４０，図４３に示すように、まず、ＲＡＭ３４の印刷データ記憶領域に展開されたパッチテープの印刷データにおいて、データ転送開始位置を、印刷データの先頭位置に設定する。次いで、テープ送りローラを駆動して、パッチ用ロールテープ８１を搬送するとともに、そのデータ転送開始位置からカッタ８に相当する距離ｊをサーマルヘッド３１で印刷する（Ｓ１３０）。そして、パッチ用ロールテープ８１のカット位置が、カッタ８に対向したら、テープ送りローラを一旦停止し、ＬＣＤ５８に「テープをカットして下さい。」のメッセージを表示し、パッチ用ロールテープ８１をカットする旨をユーザに指示する（Ｓ１３１）。この表示を見たユーザは、カットレバー９を操作して、パッチ用ロールテープ８１をカットする。これにより、カッタ８とサーマルヘッド３１との間の部分が切り捨てられる。
【０１４５】
続いて、テープ送りローラを再駆動させ、印刷データの残りをサーマルヘッド３１で最後まで印刷する（Ｓ１３２）。次いで、印刷データの最後まで印刷したら、引き続き、印刷データの先頭から距離ｊに相当する範囲までを印刷する（Ｓ１３３）。つまり、次回印刷されるパッチテープの先頭部分の印刷を既に終えたことになる。こうして、切捨印刷処理が終了する。
【０１４６】
ところで、設定変更フラグがオフされている場合は（Ｓ１２５：ＮＯ）、２回目以降の印刷である。つまり、前回と今回の印刷では、設定が変更されていない。そして、カッタ８とサーマルヘッド３１との間に位置するパッチ用ロールテープ８１の先頭部分の印刷は既に終わっている。そこで、パッチ用ロールテープ８１の先頭部分を切り捨てずに印刷を行う有効印刷処理を実行する（Ｓ１２６）。ここでは、図４４に示すように、データ転送開始位置を、印刷データの先頭から距離ｊ（サーマルヘッド３１とカッタ８間に相当する距離）だけ離れた位置に設定する（Ｓ１３５）。次いで、テープ送りローラを駆動してパッチ用ロールテープ８１を搬送するとともに、そのデータ転送開始位置から印刷データの最後までをサーマルヘッド３１で印刷する（Ｓ１３６）。そして、印刷データの最後まで印刷したら、引き続き、印刷データの先頭から距離ｊに相当する範囲までを印刷する（Ｓ１３７）。このように、パッチ用ロールテープ８１の先頭には共通のマークが印刷され、設定変更されなければ、パッチ用ロールテープ８１を切り捨てることがないので、パッチ用ロールテープ８１を有効に活用することができる。
【０１４７】
こうして、図３９に示す有効印刷処理（Ｓ１２６）、又は切捨印刷処理（Ｓ１２４）が終了したら、パッチ用ロールテープ８１をカットする旨をユーザに指示する（Ｓ１２７）。この場合、ＬＣＤ５８に「テープをカットして下さい。」のメッセージを表示する。この表示を見たユーザが、カットレバー９を操作することによって、切断された１枚のパッチテープが供給される。次いで、次回の印刷時に、今回の印刷の残りを有効に活用させるために、共通パターン印刷済みフラグをオンする（Ｓ１２８）。さらに、設定変更フラグをオフする（Ｓ１２２）。そして、リターンして、図３２に示すＳ５０に移行し、戻るフラグをオフする。さらに、図３１に示すＳ４１に移行し、戻るフラグをオフしたので（Ｓ４１：ＮＯ、Ｓ３３：ＮＯ、Ｓ２２：ＮＯ、Ｓ１４：ＮＯ）、スタートメニューに戻る。
【０１４８】
以上説明したように、本実施形態のパッチテープは、記録用紙Ｐ１の綴じ側端部に沿って貼られるものである。パッチテープの表面には、記録用紙Ｐ１の縦方向の中間位置を示す中間マーク４１が印刷されている。この中間マーク４１を基準にすることで、穴開け機でパンチ穴を記録用紙Ｐ１に容易に開けることができる。さらに、そのパンチ穴の周囲はパッチテープで補強されているので、パッチとして利用できる。このパッチテープは、記録用紙Ｐ１の綴じ側端部に沿って貼るだけであるので、従来のようにパンチ穴１つ１つにパッチを貼る手間を省略できる。さらに、パッチテープには、その端部を記録用紙Ｐ１の綴じ側端部に合わせることを示す合わせ端部指示マーク４３が印刷されているので、記録用紙Ｐ１に対する位置合わせが容易である。また、パッチテープに折返しタブ片４６が付いたタブ付きテープを記録用紙Ｐ１に貼ると、折返しタブ片４６のみが記録用紙Ｐ１の上端から突出するので、その折返しタブ片４６を半分に折り返して接着することによってタブとして利用することもできる。
【０１４９】
また、本実施形態のテーププリンタ１は、前記パッチテープを作成することができる。テーププリンタ１のＲＡＭ３４には、パッチテープに印刷される各種マークや基準線等の位置を決定するための距離ａ〜ｊ等を定める各種テーブルが記憶されている。ＣＰＵ１１は、ユーザが選択したパッチテープの種類に応じて、各種テーブルを参照することによって、ユーザの希望に応じたパッチテープを作成することができる。また、テーププリンタ１では、サーマルヘッド３１とカッタ８との間が離間している。そこで、パッチテープ一枚分の印刷範囲の末尾に、次回の印刷範囲の先頭部分であるサーマルヘッド３１とカッタ８との間の距離ｊに相当する部分を印刷するように、サーマルヘッド３１の印字範囲を制御する。これより、従来は切り捨てられていたパッチ用ロールテープ８１の先頭部分を有効に活用することができる。
【０１５０】
なお、本発明の補強用テープ及び印刷装置は、上記の実施形態に限らず、各種の変形が可能なことはいうまでもない。例えば、上記実施形態のパッチテープは、１枚の記録用紙Ｐ１の綴じ側端部に貼ることによって、そのパッチテープに印刷された中間マーク４１の位置が記録用紙Ｐ１の縦方向の中間位置を示すようになっているが、例えば、サイズの異なる２枚の記録用紙Ｐ１、Ｐ２の綴じ側を揃えて重ね、小さい方の記録用紙Ｐ１の上端又は下端を、大きい方の記録用紙Ｐ２の上端又下端に揃えた場合に、記録用紙Ｐ１の綴じ側端部に沿って貼られたパッチテープに印刷された中間マークの位置が、記録用紙Ｐ２の縦方向の中間位置を示すようにしてもよい。これにより、サイズの異なる２枚の記録用紙Ｐ１，Ｐ２をバインダーに容易に綴じることができる。
【０１５１】
また、パッチテープの表面において、パンチ穴位置マーク４２ａを印刷しなくてもよい。少なくとも中間マーク４１が印刷されていれば、一対のパンチ穴を穴開け機で開けることが可能だからである。
【０１５２】
さらに、本実施形態のテーププリンタ１においては、左綴じ用のパッチテープが作成されたが、右綴じ用のパッチテープが作成されてもよい。右綴じ用のパッチテープの場合、左綴じ用のパッチテープに対し、表貼り用と裏貼り用とが逆になる。
【０１５３】
また、テーププリンタ１では、例えば、パッチ用ロールテープ８１の裏面に、位置検出用のパターンを所定間隔毎に印刷し、そのパターンをフォトセンサ等で検出することによって、パッチ用ロールテープ８１の位置制御を行うことが可能である。
【０１５４】
さらに、本実施形態のテーププリンタ１においては、パッチ用ロールテープ８１は、手動により切断しているが、カッタ８を駆動する駆動手段を設けて、パッチ用ロールテープ８１のカット位置が、カッタ８に対向したところで自動的に切断するように構成してもよい。
【産業上の利用可能性】
【０１５５】
本発明の印刷装置は、テープに印刷可能な印刷装置に適用可能である。
【図面の簡単な説明】
【０１５６】
【図１】パッチテープ４０１が貼られた記録用紙Ｐ１の平面図である。
【図２】パッチテープ４０２が貼られた記録用紙Ｐ１の平面図である。
【図３】パッチテープ４０３が貼られた記録用紙Ｐ１の平面図である。
【図４】パッチテープ４０４が貼られた記録用紙Ｐ１の平面図である。
【図５】パッチテープ４０６が貼られた記録用紙Ｐ１の平面図である。
【図６】パッチテープ４０７が貼られた記録用紙Ｐ１の平面図である。
【図７】パッチテープ４０２の平面図である。
【図８】パッチテープ４０３の平面図である。
【図９】パッチテープ４０４の平面図である。
【図１０】パッチテープ４０５の平面図である。
【図１１】パッチテープ４０６の平面図である。
【図１２】パッチテープ４０７の平面図である。
【図１３】テーププリンタ１の概略斜視図である。
【図１４】テーププリンタ１にテープホルダ３が装着された状態を上カバー５を取り外して示す斜視図である。
【図１５】テーププリンタ１にテープホルダ３が装着された状態を上カバー５を取り外して示す側断面図である。
【図１６】判別凹部４Ｂの周囲を示す部分拡大図である。
【図１７】パッチ用ロールテープ８１が装着されたテープホルダ３の前側上方から見た斜視図である。
【図１８】パッチ用ロールテープ８１が装着されたテープホルダ３の下側後方から見た斜視図である。
【図１９】テーププリンタ１の電気的構成を示すブロック図である。
【図２０】幅／ドット数テーブル３４１１の概念図である。
【図２１】種別データテーブル３４２１の概念図である。
【図２２】距離／ドット数テーブル３４３１の概念図である。
【図２３】文字／ドット数テーブル３４４１の概念図である。
【図２４】タブ／ドット数テーブル３４５１の概念図である。
【図２５】パッチテープ４３０の印刷範囲を示す説明図である。
【図２６】パッチテープ４２０の印刷範囲を示す説明図である。
【図２７】メインのフローチャートである。
【図２８】パッチテープ作成処理のフローチャートである。
【図２９】タブ有無入力処理のフローチャートである。
【図３０】文字入力処理のフローチャートである。
【図３１】テープ装着メッセージ処理のフローチャートである。
【図３２】印刷開始メッセージ処理のフローチャートである。
【図３３】印刷データ作成処理のフローチャートである。
【図３４】合わせ端部指示マーク配置処理のフローチャートである。
【図３５】中間マーク配置処理のフローチャートである。
【図３６】パンチ穴位置マーク配置処理のフローチャートである。
【図３７】基準線、折返し線配置処理のフローチャートである。
【図３８】ユーザ文字配置処理のフローチャートである。
【図３９】印刷処理のフローチャートである。
【図４０】切捨印刷処理のフローチャートである。
【図４１】有効印刷処理のフローチャートである。
【図４２】パッチテープの印刷開始位置とカット位置を示す説明図（文字印刷無し）である。
【図４３】パッチテープの印刷開始位置とカット位置を示す説明図（文字印刷有り：初回）である。
【図４４】パッチテープの印刷開始位置とカット位置を示す説明図（文字印刷有り：２回目以降）である。
【符号の説明】
【０１５７】
１    テーププリンタ
８    カッタ
１１    ＣＰＵ
２６    プラテンローラ
３１    サーマルヘッド
３４    ＲＡＭ
４１    中間マーク
４２ａ  パンチ穴位置マーク
４３    合わせ端部指示マーク
４６    折返しタブ片
４６ａ  第１面
４６ｂ  第２面
４８    基準線
４９    折返し線
３４１    幅／ドット数テーブル記憶領域
３４２    種別データテーブル記憶領域
３４３    距離／ドット数テーブル記憶領域
３４４    文字／ドット数テーブル記憶領域
３４５    タブ／ドット数テーブル記憶領域
３４６    各種フラグ記憶領域
３４７    印刷データ記憶領域
３４８    ユーザ文字記憶領域
４０１    パッチテープ
４０２    パッチテープ
４０３    パッチテープ
４０４    パッチテープ
４０５    パッチテープ
４０６    パッチテープ
４０７    パッチテープ
４２０    パッチテープ
４３０    パッチテープ
【図１】
2008272994.tif 000003
【図２】
2008272994.tif 000004
【図３】
2008272994.tif 000005
【図４】
2008272994.tif 000006
【図５】
2008272994.tif 000007
【図６】
2008272994.tif 000008
【図７】
2008272994.tif 000009
【図８】
2008272994.tif 000010
【図９】
2008272994.tif 000011
【図１０】
2008272994.tif 000012
【図１１】
2008272994.tif 000013
【図１２】
2008272994.tif 000014
【図１３】
2008272994.tif 000015
【図１４】
2008272994.tif 000016
【図１５】
2008272994.tif 000017
【図１６】
2008272994.tif 000018
【図１７】
2008272994.tif 000019
【図１８】
2008272994.tif 000020
【図１９】
2008272994.tif 000021
【図２０】
2008272994.tif 000022
【図２１】
2008272994.tif 000023
【図２２】
2008272994.tif 000024
【図２３】
2008272994.tif 000025
【図２４】
2008272994.tif 000026
【図２５】
2008272994.tif 000027
【図２６】
2008272994.tif 000028
【図２７】
2008272994.tif 000029
【図２８】
2008272994.tif 000030
【図２９】
2008272994.tif 000031
【図３０】
2008272994.tif 000032
【図３１】
2008272994.tif 000033
【図３２】
2008272994.tif 000034
【図３３】
2008272994.tif 000035
【図３４】
2008272994.tif 000036
【図３５】
2008272994.tif 000037
【図３６】
2008272994.tif 000038
【図３７】
2008272994.tif 000039
【図３８】
2008272994.tif 000040
【図３９】
2008272994.tif 000041
【図４０】
2008272994.tif 000042
【図４１】
2008272994.tif 000043
【図４２】
2008272994.tif 000044
【図４３】
2008272994.tif 000045
【図４４】
2008272994.tif 000046